(57)【要約】  大気水発生器、システム、及び方法が提供されており、ユーザ認証、様々な期間にわたる各ユーザの給水量の記録および追跡、構成部品のノイズレベルとタイミングの制御、回収した水をより効率よくクリーニングし、加熱し、冷却することを含む。発生器は、その他の同様の発生器とネットワーク通信するように配置して、関連する水入手可能性に関する情報を交換することができ、あるいは、ＬＡＮ、インターネット、セルタワー、ピア−ピアメッシュ、又は衛星を介して中央サーバ要素と通信できる。ユーザが水発生器から消費した水量に関する情報がユーザに送られ、結果的に環境にプラスの効果となる。給水データは、ユーザのソーシャルメディアアカウント上で共有することができる、あるいは、コンペティション又はゲーム８の入力に使用することができ、さらにユーザをつなぎとめることができる。ユーザ認証は、生体認証又はユーザの水容器に埋め込んだＲＦＩＤ／ＮＦＣタグによって行うことができる。【選択図】図１８
2016537277.tif 000002
【特許請求の範囲】
【請求項１】
大気のある環境で動作し大気から持ち運び可能な水を生成する持ち運び可能な大気水発生器において：
（ａ）大気から水蒸気を液状水に変換するように構成した水生成要素と；
（ｂ）水中にあり前記水生成要素との通信を受信するとともに、開状態と閉状態の間でユーザが操作でき、タップ要素が開状態にあるときにそこから給水でき、閉状態にあるときに給水しないように構成された少なくとも一のタップ要素であって：
（ｉ）作動期間が、それぞれ、少なくとも一のタップ要素が連続的に開状態にある時間長によって規定され、
（ｉｉ）水の作動量が、それぞれ、各作動期間に給水された量によって規定される、
タップ要素と；
（ｃ）コンピュータ要素であって：
（ｉ）前記発生器の一またはそれ以上の登録ユーザを登録し；
（ｉｉ）各登録したユーザによって給水した作動量を記録し；
（ｉｉｉ）各登録したユーザについて、各ユーザの給水期間を通して給水した作動給水量を加算して、各ユーザの総給水量を規定し；
（ｉｖ）各ユーザの総給水量を登録した一又はそれ以上のユーザに送る；
ように構成したコンピュータ要素と；
を具えることを特徴とする大気水発生器。
【請求項２】
請求項１に記載の持ち運び可能な大気水発生器において、前記ユーザの総給水量が：
（ａ）給水量測定の一またはそれ以上の標準単位；
（ｂ）各登録したユーザのあらかじめ設定したゴールに向けての進捗度；
（ｃ）各登録したユーザ群のあらかじめ設定したゴールに向けての進捗度；
（ｄ）各ユーザの合計水量にトータルで量的に等しいあらかじめ決められた容量の、複数の仮想プラスチック容器；
の少なくとも一つの形式で送られることを特徴とする大気水発生器。
【請求項３】
請求項１に記載の大気水発生器において、前記コンピュータ要素がディスプレイスクリーンを具え、前記ユーザの合計水量の送信が、少なくとも、前記ディスプレイスクリーン上に各合計水量を表示する方法で行われることを特徴とする大気水発生器。
【請求項４】
請求項３に記載の大気水発生器において、前記ディスプレイスクリーンがタッチスクリーンインターフェースであることを特徴とする大気水発生器。
【請求項５】
請求項１に記載の持ち運び可能な大気水発生器がさらに、大気温度、大気圧、及び大気湿度の一またはそれ以上を測定するように構成された一またはそれ以上のセンサ要素を具え、
前記コンピュータ要素が前記一またはそれ以上のセンサとデータ通信して、
（ａ）当該データから前記発生器が大気から液状水を生成できる流速を計算し；
（ｂ）その流速をディスプレイスクリーンに表示するように構成されている、
ことを特徴とする大気水発生器。
【請求項６】
請求項１に記載の持ち運び可能な大気水がさらに、前記コンピュータ要素を、ローカルエリアネットワーク、広域ネットワーク、セルラーネットワーク、ピアツーピアメッシュ、及び衛星の少なくとも一と通信できるように構成したネットワークインターフェースを具えることを特徴とする大気水発生器。
【請求項７】
請求項６に記載の持ち運び可能な大気水発生器において、前記通信がワイヤレス通信であるか、ワイヤレス通信を含むことを特徴とする大気水発生器。
【請求項８】
請求項６に記載の持ち運び可能な大気水発生器において、前記コンピュータ要素が、ディスプレイスクリーンを具え、ディスプレイ用のネットワークインターフェースによって、
（ｉ）水の使用に関する教育あるいは啓発メッセージ；
（ｉｉ）水の維持に関する教育あるいは啓発メッセージ；
（ｉｉｉ）ブランドに関するグラフィックス、メッセージ、又は販促；
（ｉｖ）サービスの通知；
のうちの少なくとも一つを受信するように構成されていることを特徴とする大気水発生器。
【請求項９】
請求項６に記載の持ち運び可能な大気水発生器において、前記送信したユーザの総給水量が、各登録ユーザのソーシャルメディアアカウントによってアクセス可能であることを特徴とする大気水発生器。
【請求項１０】
請求項６に記載の持ち運び可能な大気水発生器において、前記送信したユーザの合計水量が、
（ａ）一またはそれ以上の登録ユーザによってプレイできるコンピュータベースのゲームであって、前記合計水量が、
（ｉ）当該ゲーム内のイベントのトリガ；
（ｉｉ）当該ゲーム内のパラメータの表示；
の少なくとも一方である、
（ｂ）登録ユーザ間のコンピュータベースのコンペティションであって、コンペティターの各合計水量が相互のパフォーマンス比較のベースとして使用される；
のうちの少なくとも一方をデータ入力として送信できることを特徴とする大気水発生器。
【請求項１１】
請求項６に記載の持ち運び可能な大気水発生器において、前記送信したユーザの合計水量が、各登録ユーザのモバイルコンピュータデバイスによってアクセス可能であることを特徴とする大気水発生器。
【請求項１２】
請求項１１に記載の持ち運び可能な大気水発生器において、前記アクセス可能性が、中間サーバ要素によることを特徴とする大気水発生器。
【請求項１３】
請求項１に記載の持ち運び可能な大気水発生器において、少なくとも一のユーザ給水期間が、各登録ユーザによって最後に給水された時点で終了した現行の暦日の部分であることを特徴とする大気水発生器。
【請求項１４】
請求項１に記載の持ち運び可能な大気水発生器において、前記コンピュータ要素が再初期化するように構成された機械式カウンタを具え、前記ユーザの少なくとも一の給水期間が、最後の再初期化から終了した時間と同じであることを特徴とする大気水発生器。
【請求項１５】
請求項１に記載の持ち運び可能な大気水発生器において、前記ユーザの合計水量の少なくとも一つが、前記持ち運び可能な大気水発生器のすべてのユーザによる給水に対応することを特徴とする大気水発生器。
【請求項１６】
請求項１に記載の持ち運び可能な大気水発生器において、前記水生成要素が、脱湿サブシステムを具えることを特徴とする大気水発生器。
【請求項１７】
請求項１に記載の持ち運び可能な大気水発生器において、前記水生成要素が、乾燥サブシステム又は断熱サブシステムを具えることを特徴とする大気水発生器。
【請求項１８】
請求項１に記載の持ち運び可能な大気水発生器がさらに、稼働水量を決定するのに使用する流量測定要素を具えることを特徴とする大気水発生器。
【請求項１９】
請求項１８に記載の持ち運び可能な大気水発生器において、前記流量測定要素が、それぞれ、前記一またはそれ以上のタップ要素と一またはそれ以上の対応する持ち運び可能な水タンクとの間に流体連通して配置した、一またはそれ以上のフローセンサ又はフローメータを具えることを特徴とする大気水発生器。
【請求項２０】
請求項１に記載の持ち運び可能な大気水発生器において、前記コンピュータ要素が、別の場所に配置した一又はそれ以上の追加の発生器のコンピュータ要素とネットワーク通信するように配置されており、前記コンピュータ要素のそれぞれが、前記他の各発生器から持ち運び可能な水入手可能性データを受け取り、前記他の各発生器に対応する持ち運び可能な水入手可能性と位置情報を表示するように構成されていることを特徴とする大気水発生器。
【請求項２１】
請求項１に記載の持ち運び可能な大気水発生器において、前記一またはそれ以上の登録ユーザの登録によって、前記登録ユーザが、関連するユーザ名のついたユーザの水分プロファイルを作り、各ユーザの水分プロファイルが各ユーザの水分データを含んでおり、このデータは：
（ａ）独自の認証ＩＤを用いてユーザの水分プロファイルにログインすることによって、各登録ユーザによってアクセス可能である；
（ｂ）
（ｉ）給水量測定の一またはそれ以上の標準単位；
（ｉｉ）各登録したユーザのあらかじめ設定したゴールに向けての進捗度；
（ｉｉｉ）各ユーザの合計水量にトータルで量的に等しいあらかじめ決められた容量の複数の仮想プラスチック容器；
のうちの少なくとも一つの形式で送られてきた各ユーザの合計水量を追跡する；
ことを特徴とする大気水発生器。
【請求項２２】
請求項２１に記載の持ち運び可能な大気水発生器において、前記認証ＩＤが、各ユーザがパスコードを入力することによって、前記コンピュータ要素で読み取り可能であることを特徴とする大気水発生器。
【請求項２３】
請求項２１に記載の持ち運び可能な大気水発生器において、前記認証ＩＤが生体認証によって、前記コンピュータ要素で読み取り可能であることを特徴とする大気水発生器。
【請求項２４】
請求項２１に記載の持ち運び可能な大気水発生器において、前記認証ＩＤが、無線認証（ＲＦＩＤ）タグ又は近距離通信（ＮＦＣ）タグによって、前記コンピュータ要素で読み取り可能であることを特徴とする大気水発生器。
【請求項２５】
請求項２４に記載の持ち運び可能な大気水発生器において、前記ＲＦＩＤまたはＮＦＣタグが、各ユーザの飲料容器に埋め込まれているか、含まれていることを特徴とする大気水発生器。
【請求項２６】
大気のある環境で動作し大気から持ち運び可能な水を生成する持ち運び可能な大気水発生器において：
大気からの蒸気を液状水に変換するように構成された水生成要素と；
コンピュータ要素と；
を具え、
（ａ）前記持ち運び可能な大気水発生器が、一またはそれ以上の動的構成部品を具え；
（ｂ）前記一またはそれ以上の動的構成部品の各々が活性状態を有することで、人に可聴であるアコースティックサインとなり；
（ｃ）前記コンピュータ要素がノイズ制御スケジュールによってプログラム可能であり、当該ノイズ制御スケジュールが前記一またはそれ以上の動的構成部品が低い活性状態又は不活性状態に自動的に維持される時間を具えるように構成されている；
ことを特徴とする大気水発生器。
【請求項２７】
請求項２６に記載の大気水発生器において、前記一またはそれ以上の動的構成部品が、ファン要素、コンプレッサ要素、及びポンプ要素のうちの一またはそれ以上であることを特徴とする大気水発生器。
【請求項２８】
請求項２６に記載の大気水発生器において、前記ノイズ制御スケジュールが、タッチスクリーンインターフェースを用いてユーザによって調整可能であることを特徴とする大気水発生器。
【請求項２９】
請求項２６に記載の大気水発生器において、前記コンピュータ要素が、ネットワーク通信内に配置されており、当該ネットワーク中の別のノードから操作可能なカレンダープログラムと通信するように構成されており、前記ノイズ制御スケジュールがこのカレンダープログラムによって調整可能であることを特徴とする大気水発生器。
【請求項３０】
請求項２９に記載の大気水発生器において、
（ａ）前記ネットワークが、オフィス環境のＬＡＮであり；
（ｂ）前記カレンダープログラムにスケジュールされた会議が、前記持ち運び可能な大気水発生器が配置されている部屋で行われる場合、前記動的構成部品の一またはそれ以上が、前記スケジュールされた会議の期間中、低い活性状態に又は不活性状態に自動的に置かれることを特徴とする大気水発生器。
【請求項３１】
請求項２６に記載の大気水発生器において、前記コンピュータ要素が、自動化した家庭電化製品制御スケジューラとネットワーク通信を行うよう配置されており、前記ノイズ制御スケジュールが前記家庭電化製品スケジューラによって調整可能であることを特徴とする大気水発生器。
【請求項３２】
大気のある環境内で作動し、大気から持ち運び可能な水を生成する持ち運び可能な大気水発生器において：
（ａ）大気からの水蒸気を液状水に変換するように構成した水生成要素と；
（ｂ）エネルギィ制御要素でプログラム可能なコンピュータ要素であって、当該エネルギィ制御要素が、前記持ち運び可能な大気水発生器の一またはそれ以上の電気エネルギィ消費構成部品が、低電力状態または電力オフ状態に自動的に維持されている時間を含むように構成されている；
ことを特徴とする大気水発生器。
【請求項３３】
請求項３２に記載の大気水発生器において、前記コンピュータ要素が：
（ａ）電気公益事業会社とネットワーク通信を行い、高需要時間を表示する周期的あるいはリアルタイムでの電力グリッド需要データを受信し；
（ｂ）前記エネルギィ制御スケジュールを変更して、高需要時間に、一またはそれ以上の電気エネルギィ消費構成部品が活性状態になる時間を低減する；
ように構成されていることを特徴とする大気水発生器。
【請求項３４】
請求項３２に記載の大気水発生器において、前記エネルギィ制御スケジュールが、タッチスクリーンインターフェースを用いてユーザによって調整可能であることを特徴とする大気水発生器。
【請求項３５】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）前記回収リザーバを通って延在し、軸方向に取り外し可能であるリザーバＵＶランプと；
を具えることを特徴とする大気水発生器。
【請求項３６】
請求項３５に記載の持ち運び可能な大気水発生器において、前記リザーバＵＶランプが、前記リザーバの横方向のほぼ中央にあることを特徴とする大気水発生器。
【請求項３７】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）オゾン導管を通じて前記回収リザーバに送ることができるオゾンガスを発生するように構成したオゾン発生器と；
を具え、
（ｉ）前記保存されている量の存在が、上側面の水線を規定し；
（ｉｉ）前記回収リザーバが、前記オゾン発生器からオゾンガスを受け取り、前記水線の上の位置で、前記回収リザーバ内にオゾンガスを放出するオゾン入り口を具える；
ことを特徴とする大気水発生器。
【請求項３８】
請求項３７に記載の持ち運び可能な大気水発生器がさらに、前記回収リザーバと流体連通する冷水タンクを具え、前記オゾンガスを、前記オゾン導管を介して前記冷水タンクの上側部分にさらに送ることができることを特徴とする大気水発生器。
【請求項３９】
請求項３８に記載の持ち運び可能な大気水発生器がさらに、前記回収リザーバと前記冷水タンクに送られたオゾンガスを均一にする圧力均一化バルブを具えることを特徴とする大気水発生器。
【請求項４０】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）オゾン導管を通じて前記回収リザーバに送ることができるオゾンガスを発生するように構成したオゾン発生器と；
を具え、
（ｉ）前記回収リザーバ内に水線制限レベルがあらかじめ規定されており；
（ｉｉ）前記回収リザーバが、前記オゾン発生器からオゾンガスを受け取り、前記水線制限レベルの上の位置で、前記回収リザーバ内にオゾンガスを放出するオゾン入り口を具える；
ことを特徴とする大気水発生器。
【請求項４１】
大気のある環境内で作動し、大気から持ち運び可能な水を生成する持ち運び可能な大気水発生器において：
大気からの水蒸気を液状水に変換するように構成した水生成要素と；
前記水生成要素から液状水を受け取って、その量を一時的に保存するように構成された回収リザーバと；
前記回収リザーバから水を受け取るように構成された冷水タンクと；
前記冷水タンクから水を受け取るように構成された少なくとも一の温水タンクであって、当該温水タンク内に収容された水を加熱するように構成された加熱要素に接続された温水タンクと；
コントロールパネルを介してユーザによってプログラム可能である中央処理ユニットであって、前記加熱要素と通信して、規定のプロトコルに従って加熱要素に電力を送達するように構成されており、当該プロトコルが：（ｉ）電源から前記加熱要素に送達するパルスエネルギィの周波数と大きさ；および（ｉｉ）前記温水タンクと前記冷水タンク内に収容されている水の設定温度又は設定温度範囲；を特定している、中央処理ユニットと；
を具えることを特徴とする大気水発生器。
【請求項４２】
請求項４１に記載の大気水発生器において、前記プロトコルがさらに、休止期間を特定しており、当該休止期間が前記温水タンク内に収納された水の設定温度又は設定温度範囲が、通常の作動時間に関連する温度に比較して低減されていることを特徴とする大気水発生器。
【請求項４３】
請求項４２に記載の大気水発生器において、前記プロトコルがさらに：
（ａ）前記温水タンク内に収納された水の設定温度又は設定温度範囲が、前記冷水タンク内に収納された水に優先しているかどうか；あるいは
（ｂ）前記冷水タンク内に収納された水の設定温度又は設定温度範囲が、前記温水タンク内に収納された水に優先しているかどうか；
を特定することを特徴とする大気水発生器。
【請求項４４】
請求項４３に記載の大気水発生器において、前記プロトコルがさらに、前記持ち運び可能な大気水発生器の総電力使用量上限を特定していることを特徴とする大気水発生器。
【請求項４５】
請求項４４に記載の大気水発生器において、前記総電力使用量上限が、（ａ）各エネルギィパルスとともに送達できる特定のあるいは最大量のエネルギィ；（ｂ）規定の時間を超えて送達できる総最大エネルギィ量；又は、（ｃ）（ａ）と（ｂ）との組み合わせ；を具えることを特徴とする大気水発生器
【請求項４６】
大気のある環境内で作動し、大気から持ち運び可能な水を生成する持ち運び可能な大気水発生器において：
大気からの水蒸気を液状水に変換するように構成した水生成要素と；
前記水生成要素から液状水を受け取って、その量を一時的に保存するように構成された回収リザーバと；
冷却コンプレッサと；
前記回収リザーバから水を受け取るように構成された冷水タンクであって、その中に；
（ａ）シュラウドさた体積の横方向外周を規定する縦方向に延在するシュラウド要素と；
（ｂ）シュラウドされた体積の上側外周を規定する横方向に延在するバッフル要素と；
（ｃ）前記冷却コンプレッサと流体連通しており、隠れた量内に配置された冷却蒸発器コイルと；
を具えることを特徴とする大気水発生器。
【請求項４７】
請求項４６に記載の大気水発生器において、前記縦方向に延在するシュラウド要素が、前記冷水タンクの底壁から縦方向に延在していることを特徴とする大気水発生器。
【請求項４８】
請求項４６に記載の大気水発生器がさらに、
（ａ）前記隠れた量の外側に配置した第１の冷却タンク出口ポートを介して前記冷却タンクに流体連通して水を受け取る温水タンクと；
（ｂ）前記隠れた量の内側に配置した第２の冷却タンク出口ポートを介して前記冷却タンクに流体連通して水を受け取る冷水タンクと；
を具えることを特徴とする大気水発生器。
【請求項４９】
システムであって、
（ａ）大気のある様々な環境で作動し、持ち運び可能な水を生成する複数の持ち運び可能な大気水発生器であって、各々が；
（ｉ）大気からの水蒸気を液状水に変換するように構成した水生成要素と；
（ｉｉ）一またはそれ以上の給水期間中に、前記持ち運び可能な大気水発生器からユーザが給水した一またはそれ以上の持ち運び可能な水の量を決定するのに用いる流量測定要素と；
（ｉｉｉ）ユーザプロファイルデータ、休止データおよびサービスデータを取得するように構成したコンピュータ要素であって、前記給水データが各登録ユーザによって給水された持ち運び可能な水の少なくとも一又はそれ以上の量に関連し、前記サービスデータが前記持ち運び可能な大気水発生器の一またはそれ以上の構成要素の動作に関連する、コンピュータ要素と；
を具える大気水発生器と；
（ｂ）前記コンピュータ要素とネットワーク通信して、前記ユーザプロファイルデータ、給水データ、及びサービスデータの一またはそれ以上を前記コンピュータ要素から受け取るように構成されたサーバ要素と；
を具えることを特徴とするシステム。
【請求項５０】
請求項４９に記載のシステムにおいて、前記サーバ要素が、各登録ユーザによって給水された持ち運び可能な水の量を、競争している登録ユーザ間の統計的又はゲームベースのコンペティションへの入力として追跡するデータベース要素を具えることを特徴とするシステム。
【請求項５１】
請求項４９に記載のシステムにおいて、前記サーバ要素が、各ユーザのモバイルコンピュータデバイスによってアクセス可能なアプリケーションプログラミングインターフェースを稼働することを特徴とするシステム。
【請求項５２】
請求項５１に記載のシステムにおいて、前記アプリケーションプログラミングインターフェースが、一またはそれ以上の登録ユーザのソーシャルネットワークアカウントで；
（ａ）各登録ユーザに関連する給水データと；
（ｂ）各登録ユーザによって給水された持ち運び可能な水の一またはそれ以上の量の各々に総合的量的に等しい、あらかじめ決められた容量の仮想プラスチック容器の数；
を入手可能にすることを特徴とするシステム。
【請求項５３】
請求項４９に記載のシステムにおいて：
（ａ）前記各コンピュータ要素が、ディスプレイスクリーンを具え、
（ｂ）前記サーバ要素が、さらに、前記コンピュータ要素に；
（ｉ）各給水期間中にすべての持ち運び可能な大気水発生器から各登録ユーザが給水した持ち運び可能な水の総量を含む、総ユーザデータ；
（ｉｉ）水の使用に関する教育的あるいは啓発メッセージ；
（ｉｉｉ）水の保護に関する教育あるいは啓発メッセージ；
（ｉｖ）ブランドに関するグラフィックス、メッセージ、あるいは販促；および
（ｖ）サービスの通知；
の少なくとも一またはそれ以上を前記各ディスプレイスクリーンに表示するように送信するように構成されている；
ことを特徴とするシステム。
【請求項５４】
請求項４９に記載のシステムにおいて前記サーバ要素が、さらに、前記コンピュータ要素にソフトウエアアプリケーションの更新を送信するように構成されていることを特徴とするシステム。
【請求項５５】
大気から持ち運び可能な水を生成する方法において；
（ａ）大気からの水蒸気を液状水に変換するように構成した水生成要素を提供するステップと；
（ｂ）前記水生成要素と水を受け取るように連通しており、開状態と閉状態の間をユーザが駆動できる少なくとも一のタップ要素であって、開状態にあるときに給水可能であり、閉状態にあるときに給水を止めるように構成されたタップ要素を設けるステップであって；
（ｉ）稼働期間が前記少なくとも一のタップ要素が連続的に開状態にある時間によってそれぞれ規定され；
（ｉｉ）稼働水量が、各稼働期間内の給水量によってそれぞれ規定される；
ステップと；
（ｃ）コンピュータ要素を選択するステップであって：
（ｉ）前記発生器の一またはそれ以上の登録ユーザを登録する；
（ｉｉ）各稼働した給水量を、各ユーザが給水した期間を通して記録する；
（ｉｉｉ）各登録ユーザに起因する各稼働した水量を加算して、各ユーザの合計水量を規定する；
（ｉｖ）一またはそれ以上の登録ユーザに各ユーザの合計水量を送る；
ように構成したコンピュータ要素を選択するステップと；
を具えることを特徴とする方法。
【請求項５６】
請求項５５に記載の方法がさらに、
（ａ）水量測定の一またはそれ以上の標準単位；
（ｂ）各登録ユーザのあらかじめ設定したゴールへの進捗度；
（ｃ）各ユーザの合計水量に全体的量的に等しいあらかじめ決められた容量の仮想プラスチック容器の数；
のうちの少なくとも一の形式で、送られてきたユーザ合計水量を表示するステップを具えることを特徴とする方法。
【発明の詳細な説明】
【技術分野】
【０００１】
［関連出願］
本出願は、２０１３年１０月８日に出願された米国暫定特許出願第６１／８８８，４７０号と、２０１４年４月２５日に出願された米国暫定特許出願第６１／９８４，７２３号の利益を請求する。各出願の内容は、本明細書に完全に記載されているかのようにすべての目的で全体が引用により組み込まれている。
【０００２】
本発明は、一般的に、大気水を捕捉してその水を持ち運びできる形で給水する装置に関する。特に、本発明は、持ち運び可能な大気水発生器に関し、効率、温度管理、ノイズ制御を改善し、ユーザ対話性を容易にするという特徴を有する発生器に関する。
【背景技術】
【０００３】
大気中の水分を持ち運び可能な飲料水に変換するシステムは、数十年にわたって存在していた。しかしながら、このようなシステムは、主に操作の非効率性、ノイズ、清潔さの問題、およびユーザエンゲージメントの全体的な欠如により、広い範囲にわたる需要者承認がなされていなかった。ポータブル大気水発生器（ＡＷＧｓ）に伴う一つの主な課題は、機械から給水した水を確実に持ち運びできるようにすることであった。飲料水アプリケーションに使用するポータブルＡＷＧｓの初期バージョンは、細菌増殖を制御する主な手段としての様々な浄水の形式と再循環に依存していた。
【０００４】
必要なものは、改良したポータブル大気水発生器であり、所望の温度と湿度レベルでより効率よく、よりクリーンな水を発生し、便利なノイズとエネルギィ制御機能が付いているにもかかわらず、ユーザが機械を確実に連続して使用する態様のユーザエンゲージメントのある発生器である。
【発明の概要】
【０００５】
従来技術の定義は、本発明にかかる大気水発生器、システム、方法を提供することによってなされる。実施例は、より効率の良い水の加熱と冷却、実質的に改良した殺菌特性、ノイズとエネルギィ消費の良好な制御能力、およびユーザエンゲージメントとモチベーションをもたらす部品とプロセスを提供している。本明細書に述べる特徴と機能は、ポータブルバージョン（例えば、ホーム／オフィス）である限り、大規模産業又は商業ＡＷＧｓに提供することができる。
【０００６】
実施例によれば、ユーザは発生器によって、給水前給水後のいずれかの認証によって、認識される。ユーザ認証は、機械データベース又は発生器とのネットワーク通信におけるクラウドサービスで証明できる。給水情報をユーザの水分プロファイルに加え、クラウドサービスと同期させることができる。分析サービスにより、水の消費情報に基づいて、ユーザに行動又は健康認識を提供することができる。このような分析は、ユーザがあらかじめ選択した通知プレファランスに基づいてユーザに送る、あるいは、管理サービスあるいは直接の販売者などの第三者サービスに売ることができる。
【０００７】
本発明のユーザプロファイル認証システムは、能動システム又は受動システムであってもよい。能動認証は、認証する、例えば、ユーザ名とパスワードの入力といった本物であることを認証する専用のアクションで行うことができる。反対に、受動認証は、例えば、給水ボタンに一体化させた、あるいは、ユーザの水容器に取り付けた又は一体化したＲＦＩＤ／ＮＦＣタグを介しての、指紋スキャナによって給水器と一体化することができる。特定のユーザが本物であることの認識は、機械挙動を、例えば、あらかじめ選択された温度制御又はあらかじめ選択された添加物でカスタマイズした水を提供するように変形できる。
【０００８】
本発明の実施例では、ユーザのプロファイルを様々なソーシャルメディアプラットフォームに一体化させて、行動分布、ソーシャルマーケティングを容易にし、あるいはヘルスチャレンジを提供して行動を変えることができる。ユーザの給水は、選択的にソーシャルメディアサイトに載せることができる。実施例によれば、ユーザは互いに挑戦して、その週に消費したオンス、この月に節約したボトル、など、稼働統計を達成できる。このような掲載、挑戦、又は結果としてのコメントは、本発明の実施例の分野を形成する、あるいは本発明の実施例に関連する、様々なインターフェース（機械、モバイル、ウエブ）に一体化できる。
【０００９】
本発明に記載したポータブル大気水発生器は、フィルタの寿命を含むサービス関連機械利用情報を、分析用にクラウドサービスに報告できる。機械サービスの要求は顧客に送られる、あるいは、顧客が自動スケジューリングを要求している場合は、サービスパーソナルに送られる。
【００１０】
実施例では、機械のスケジューリングインターフェース、モバイルアプリケーション、およびウエブサイトでアドミニストレータに水の発生時間を変更させることができる。分析サービスは、この情報を用いて、発生スケジュールの調整を提案したり、期待した水出力と顧客が経験した実際の出力とに基づいて、理想的な機械位置を確認することができる。
【００１１】
発生器はブランド商品であってもよく、例えば、顧客の個人的ニーズにあうようにカスタマイズすることもできる。このような、カスタマイゼーションは、モバイル又はウエブインターフェースを介して管理できる。発生器は、例えば、ワイファイ又はセルラー技術を用いて、その機能を定期的に更新できる。
【図面の簡単な説明】
【００１２】
本発明のさらなる利点は、以下の好ましい実施例の詳細な記載の利点と、添付図面を参照することによって、当業者に明らかになる。
【図１】図１は、本発明にかかるシステムの側面図であり、オゾンの発生と送達アプローチを示す。
【図２】図２は、本発明にかかるＡＷＧシステムの一例を示す斜視図である。
【図３】図３は、図２に示すシステムの別の斜視図である。
【図４】図４は、図２に示すシステムの様々な内部構成要素を示す斜視図である。
【図５】図５は、図４に示すシステムと構成の側面図である。
【図６】図６は、図２に示す例示的システムの正面図である。
【図７】図７は、図６の７−７線に沿った断面図である。
【図８】図８は、図２に示す例示的システムの側面図である。
【図９】図９は、図８の９−９線に沿った断面図である。
【図１０】図１０は、本発明の態様にかかるさらなる代替実施例の内側構成要素を示す図である。
【図１０】図１０は、本発明の態様にかかるシステムの代替実施例を示す側面図である。
【図１１】図１１は、給水期間、稼働期間、稼働容量、および各ユーザの合計容量の関係の一例を示すチャートである。
【図１２】図１２は、本発明の一またはそれ以上の非限定的実施例のネットワーク接続を示すブロック図である。
【図１３】図１３は、本明細書に述べたヒータ制御アルゴリズムのロジックと機能を示すフローチャートであり、水に関連する事実と、発生器とどのように相互作用するかについての更なる情報の外観がユーザに表示されている。
【図１４】図１４は、本明細書に述べた可変パルス制御加熱アルゴリズムのロジックと機能を示すフローチャートである。
【図１５】図１５は、本明細書に述べた加熱電力出力遮断モードのロジックと機能を示すフローチャートである。
【図１６】図１６は、本明細書に述べた加熱および冷却制御モジュールに利用できる回路を示す図である。
【図１７】図１７は、本発明の所定の実施例に係るシステムアーキテクチュアを示す図であり、多数のＡＷＧｓが別のノードからネットワークへ動作するカレンダープログラムとネットワーク通信している。
【図１８】図１８は、本発明の所定の実施例に係るシステムアーキテクチュアを示す図である。
【図１９】図１９は、ポータブル大気水発生器のディスプレイ画面に表示するダッシュボードの実施例を示すワイヤーフレーム画像である。
【図２０】図２０は、ナビゲーション画像を開いたダッシュボードの実施例を示すワイヤーフレーム画像である。
【図２１】図２１は、Ｍｙ  Ｈｙｄｒａｔｉｏｎ  Ｐｒｏｍｐｔ  ｓｃｒｅｅｎの実施例を示すワイヤーフレーム画像であり、このスクリーンは給水した水の体積、発生器の全ユーザについての平均消費量、およびブランド提携機会用の左下方のオープンスクリーン空間を具える。
【図２２】図２２は、Ｍｙ  Ｈｙｄｒａｔｉｏｎ  Ｐｒｏｍｐｔ  ｓｃｒｅｅｎの更なる実施例を示すワイヤーフレーム画像である。
【図２３】図２３は、ログイン状態のスクリーンのＵｓｅｒ  Ｈｙｄｒａｔｉｏｎ  Ｐｒｏｆｉｌｅの実施例を示すワイヤーフレーム画像である。
【図２４】図２４は、Ｕｓｅｒ’ｓ  Ｈｙｄｒａｔｉｏｎ  Ｐｒｏｆｉｌｅ  ｓｃｒｅｅｎの実施例を示すワイヤーフレーム画像であり、水の消費に関する動機づけメッセージと、個人の水追跡情報と、現在生成した消費データを、連続する水追跡算入用のユーザのプロファイルに加えるオプションとを具える。
【図２５】図２５は、セーブ状態にあるスクリーンのＵｓｅｒ’ｓ  Ｈｙｄｒａｔｉｏｎ  Ｐｒｏｆｉｌｅの実施例を示すワイヤーフレーム画像である。
【図２６】図２６は、名称入力状態にあるスクリーンのＣｒｅａｔｅ  Ｕｓｅｒ  Ｈｙｄｒａｔｉｏｎ  Ｐｒｏｆｉｌｅの実施例を示すワイヤーフレーム画像である。
【図２７】図２７は、ＰＩＮ入力状態にあるスクリーンのＣｒｅａｔｅ  Ｕｓｅｒ  Ｈｙｄｒａｔｉｏｎ  Ｐｒｏｆｉｌｅの実施例を示すワイヤーフレーム画像である。
【図２８】図２８は、Ｐｒｉｖａｔｅ  Ｈｙｄｒａｔｉｏｎ  Ｐｒｏｆｉｌｅ ｓｃｒｅｅｎの実施例を示すワイヤーフレーム画像であり、ユーザの水消費目標と、その他のすべてのユーザーから隠されている追跡情報を示す。
【図２９】図２９は、Ｇｌｏｂａｌ  Ｗａｔｅｒ  Ｃａｕｓｅｓ  ｓｃｒｅｅｎの実施例を示すワイヤーフレーム画像である。
【図３０】図３０は、Ｇｌｏｂａｌ  Ｗａｔｅｒ  Ｃａｕｓｅｓ  ｓｃｒｅｅｎの実施例を示すワイヤーフレーム画像である。
【図３１】図３１は、Ｖｉｄｅｏ  Ｖｉｅｗｉｎｇ  Ｏｖｅｒｌａｙ  ｓｃｒｅｅｎの実施例を示すワイヤーフレーム画像であり、水に関連する啓発又は教育ビデオコンテンツが表示されており、あるいはパートナーブランドに関連する宣伝および販売促進メッセージが表示されている。
【図３２】図３２は、Ｓｅｔｔｉｎｇｓ  Ｌｏｇｉｎ  ｓｒｅｅｎの実施例を示すワイヤーフレーム画像であり、これによってアドミニストレータは発生器の制御可能な特徴と、コンピュータ素子で稼働しているソフトウエアアプリケーションにアクセスできる。
【図３３】図３３は、Ｓｅｔｔｉｎｇ  Ｄｉｓｐｌａｙｉｎｇ  Ａｄｍｉｎ  Ｄａｓｈｂｏａｒｄ  ｓｃｒｅｅｎの実施例を示すワイヤーフレーム画像であり、アドミニストレータが、水発生に関連する設定、並びに追加の機械サービスおよび水レベル状態の情報を示している。
【図３４】図３４は、Ｓｃｈｅｄｕｌｉｎｇ  Ｗａｔｅｒ  Ｇｅｎｅｒａｔｉｏｎ  Ｄａｉｌｙ  ｓｃｒｅｅｎ用の設定の実施例を示すワイヤーフレーム画像であり、これによって、アドミニストレータは上書きしない限り、毎日使用されている入力パラメータを用いて発生器に直接水の発生をスケジュールすることができる。
【図３５】図３５は、Ｃｕｒｒｅｎｔ  Ｄａｙ  ｓｃｒｅｅｎのＯｖｅｒｒｉｄｉｎｇ  Ｗａｔｅｒ  Ｇｅｎｅｒａｔｉｏｎの設定の実施例を示すワイヤーフレーム画像である。
【図３６】図３６は、Ｓｃｈｅｄｕｌｉｎｇ  Ｗａｔｅｒ  Ｇｅｎｅｒａｔｉｏｎ  Ｃｏｎｆｉｒｍａｔｉｏｎ  ｓｃｒｅｅｎの設定の実施例を示すワイヤーフレーム画像である。
【図３７】図３７は、Ｍａｎａｇｉｎｇ  Ｕｓｅｒｓ  ｓｃｒｅｅｎの設定の実施例を示すワイヤーフレーム画像である。
【図３８】図３８は、Ｃｏｎｆｉｒｍｉｎｇ  Ａｃｔｉｏｎ  Ｓｔａｔｅスクリーンの設定の実施例を示すワイヤーフレーム画像である。
【図３９】図３９は、Ｐｒｏｄｕｃｔ  Ｓｕｐｐｏｒｔ  ｓｃｒｅｅｎの実施例を示すワイヤーフレーム画像である。
【図４０】図４０は、Ａｌｅｒｔ  ｓｃｒｅｅｎの実施例を示すワイヤーフレーム画像である。
【発明を実施するための形態】
【００１３】
図面を参照すると、いくつかの図を通して、同様の符号が同一又は対応する特徴に付されている。
【００１４】
本明細書には、大気環境中で作動し、大気から持ち運び可能な水を生成する大気水発生器１００の非限定的な実施例について述べられている。大気水発生器１００のポータブルバージョンは、水生成要素と、少なくとも一のタップ要素１４４と、コンピュータ素子１５０とを具える。水生成要素は、好ましくは、大気からの水蒸気を液状水に変換するように構成されている。発生器１００の特定の実施例に応じて、各水生成要素は、除湿サブシステムと、乾燥サブシステムと、断熱サブシステムと、いくつかの組み合わせ、その他を具えていてもよい。
【００１５】
除湿サブシステムは、通常、コンデンサ１１６を通る冷媒を循環させるコンプレッサ１１４を具え、次いで蒸発器コイルでその周辺の空気を冷却する。これは、空気の温度をその露点まで下げ、水蒸気を凝縮させる。フィルタにかけた空気は、通常、蒸発器コイルの上をファン１８０によって移動する。乾燥サブシステムは、通常、湿乾燥プロセスを含み、ここでは濃縮ブライン溶液中の塩を用いて周辺湿度を吸収する。乾燥サブシステムは、通常、熱交換機を具え、一の流体から別の流体へ熱を移動させる。例えば、典型的なプレート熱交換器（ａｄｉａｂａｔｉｃ  ｗｈｅｅｌ  ｈｅａｔ  ｅｘｃｈａｎｇｅｒ）は、スレッドのついた大きなホィールでできており、熱い流体と冷たい流体を通って回転して熱を抽出又は移動させる。
【００１６】
少なくとも一のタップ要素１４４は水中にあり、水生成要素との通信を受信して、開状態と閉状態にユーザが操作することができる。このようなユーザの駆動は、直接的なものでなくてもよい。むしろ、電子ボタン制御（例えば、１０８と１１０）、ソレノイド、プッシュロッド、などで行うようにしてもよい。少なくとも一のタップ要素１４４は、開状態にあるときに、給水でき、閉状態にあるときには給水ができないように構成することができる。ロックアウトボタン１１２を設けて、湯が出ないようにしてもよい。
【００１７】
図１１を参照すると、駆動時間（例えば、１４６ａと１４６ｂで示すような）は、それぞれ、少なくとも一のタップ要素１４４が連続的に開状態にある時間長で規定される。駆動水量（例えば、１４８ａと１４８ｂで示す）は、それぞれ、各駆動時間に給水した水量によって規定される。図１１を参照すると、特定の給水時間にわたって、ユーザＡは３つの異なる駆動時間に（１４６ａ、１４６ａ’、１４６ａ”）、タップ１４４を駆動することでトリガしている。同様に、同じ給水時間１５２にわたって、ユーザＢは、２つの異なる駆動時間に（１４６ｂと１４６ｂ’）トリガしている。この結果、給水時間１５２の間に、各駆動水量（１４８ａ、１４８ａ’、１４８ａ”、１４８ｂおよび１４８ｂ’）が、ユーザＡおよびＢによって、発生器から給水されたことになる。
【００１８】
特定の実施例では、コンピュータ要素１５０が、プロセッサ、メモリ、マシーンデータベース、およびディスプレイスクリーンをそれぞれ具えている。コンピュータ要素１５０は、好ましくは、：（ｉ）発生器の一またはそれ以上の登録ユーザを登録し、（ｉｉ）それぞれの登録ユーザによる駆動給水量を記録し、（ｉｉｉ）各登録ユーザについて、各ユーザの給水期間を通してのそれぞれの駆動給水量を加算し、これによって各ユーザの合計水量を規定し、（ｉｖ）各ユーザの合計水量を、登録ユーザの一またはそれ以上に送る、ように構成することができる。図１１を参照すると、ユーザＡの合計水量１５４ａは、各給水時間１５２にわたって給水したユーザＡの駆動水量の合計を表す。同様に、ユーザＢの合計水量１５４ｂは、各給水時間１５２にわたって給水したユーザＢの駆動水量の合計を表す。
【００１９】
所定の好ましい実施例では、ユーザの合計水量１５４は、（ａ）一またはそれ以上の容量測定標準単位；（ｂ）各登録ユーザのあらかじめ設定されたゴールに向かう進捗度；（ｃ）一群の登録ユーザのあらかじめ設定されたゴールに向かう進捗度；および（ｄ）各ユーザの合計水量と、全体的に同等の容量であるあらかじめ決められた体積容量の複数の仮想プラスチックコンテナ；のうちの少なくとも一つの形態で送られる。
【００２０】
特定の好ましい実施例では、コンピュータ要素１５０がディスプレイスクリーン１０２を具え、ユーザの合計水量１５４の伝達を、少なくとも、各合計水量１５４をディスプレイスクリーン１０２に表示することによって完了する。例として、コンピュータ要素は、タッチスクリーンインターフェースを有するタブレット型コンピュータであってもよく、あるいはこれを具えていてもよい。したがって、ディスプレイスクリーンの役割は、コンピュータデバイスのタッチスクリーンインターフェースによって実行される。
【００２１】
発生器１００の所定の実施例は、さらに、周囲温度、周囲圧、周囲湿度のうちの一またはそれ以上測定する一またはそれ以上のセンサ要素（図示せず）を具えていてもよい。このような実施例では、コンピュータ要素１５０が、一またはそれ以上のセンサ要素とデータ通信を行って、（ａ）このデータから発生器１００が大気から液状水を生成できる現在のレートを計算する；および（ｂ）このレートをディスプレイスクリーン１０２に表示するように構成されている。
【００２２】
発生器１００の所定の実施例は、コンピュータ要素１５０が、ローカルエリアネットワーク（ＬＡＮ）、ワイドエリアネットワーク（ＷＡＮ）、セルラーネットワーク、ピアツーピアメッシュ、および衛星の少なくとも一つと通信できるように構成したネットワークインターフェース（ソフトウエア又はハードウエア）を具える。このような通信は、無線通信を含むことが好ましい。
【００２３】
ネットワーク可能な発生器１００の実施例では、コンピュータ要素１５０が、ネットワークインターフェースを介してディスプレイスクリーン上に；（ｉ）水の使用に関する教育あるいは啓発メッセージ；（ｉｉ）水の維持に関する教育あるいは啓発メッセージ；（ｉｉｉ）ブランドに関するグラフィックス、メッセージ、又は販促；（ｉｖ）サービスの通知；のうちの少なくとも一つまたはそれ以上を表示するネットワークインターフェースを受信するように構成できる。
【００２４】
実施例では、送信されてきたユーザの合計水量に、各登録ユーザのソーシャルメディアアカウントを使ってアクセスできる。このようなアクセスは、本発明の実施例のサーバ要素の動作、ソーシャルメディアサーバ又はソフトウエアの動作、あるいは、これらの組み合わせによって駆動できる。代替的に又は追加で、特定の実施例では、送信されてきたユーザの合計水量を、データ入力として一またはそれ以上の登録ユーザによってプレイできるコンピュータベースのゲームに送信できる。このような実施例では、各合計水量が、そのゲーム内のイベントをトリガする効果を有する（例えば、主唱者のシールド、リソース又はオプションの入手可能、ライブの追加、その他）、および／又はゲーム内のパラメータ（例えば、速度、パワーレベル、通貨、その他）を表す効果を有する。更なる実施例では、データ入力として一またはそれ以上の登録ユーザによってプレイできるコンピュータベースのゲームに送信できる。ここでは、コンペティタの各合計水量を共通のパフォーマンス比較のベースとして使用する。例えば、選択された試行期間内に、最も水を消費した、あるいは最も多くの仮想プラスチックボトルを節約したコンペティタ／ユーザが勝利する。
【００２５】
特定の実施例では、送信されてきたユーザの合計水量１５４に、各登録ユーザのモバイルコンピュータデバイス（例えば、セルホン、コンピュータタブレット、その他）を使用してアクセス可能である。図１８を参照すると、例えば、このような実施例では、モバイルのアクセス可能性（例えば、モバイルウエブブラウザ、又はソフトウエアアプリケーション）は、中間サーバ要素による。サーバ要素は、配列されたあるいは互いから地理的に分散された一またはそれ以上のサーバを具えていてもよい。
【００２６】
所定の実施例では、少なくとも一のユーザ試行期間１５２が、各登録ユーザ又はユーザによって最後に施行された時点で経過した現行のカレンダの一部である。持ち運び可能な大気水発生器１００の実施例では、コンピュータ要素１５０が、再初期化するように構成された機械式カウンタを具えていてもよい。このような実施例では、少なくとも一のユーザ試行期間が、発生器１００の最後の再初期化の時から経過した時間と同等であってもよい。さらに、少なくとも一のユーザの合計水量が、持ち運び可能な大気水発生器の全ユーザによる試行に対応していてもよい。
【００２７】
特定の実施例は、稼働した水量を決定するのに用いる流量測定要素を具えていてもよい。流量測定要素（図示せず）は、一またはそれ以上のタップ要素１４４および一またはそれ以上の対応する持ち運び可能な水タンク（例えば、冷水タンク１２６と温水タンク１２８）の間に流体連通して配置した、一またはそれ以上のフローセンサ又はフローメータを具えている。
【００２８】
図１７を参照すると、発生器１００の所定の好ましい実施例では、コンピュータ要素１５０は、別の位置に配置した一またはそれ以上の追加の発生器１００のコンピュータ要素１５０とネットワーク通信するように配置することができる。さらに、各コンピュータ要素１５０は、このネットワークの他の各発生器１００からの各持ち運び可能な入手可能水量データを受信するように構成して、その他の各発生器に対応する持ち運び可能な入手可能水量と位置情報（例えば、複数ルーム設備のどのルームか）を表示することができる。
【００２９】
発生器１００の特に好ましい実施例では、一またはそれ以上の登録ユーザの登録によって、登録ユーザが各ユーザの水分プロファイルを関連するユーザ名を付けて作成することができる。このユーザの水分プロファイルは、各ユーザの水分データを含む。ユーザの水分データには、独自の認証ＩＤを用いてその水分プロファイルにログインすることによって、各登録ユーザによるアクセスが可能である。さらに、ユーザの水分プロファイルは、一またはそれ以上の水分量測定の標準単位（例えば、ｆｌ．ｏｚ．、ｍＬ、その他）、各登録ユーザのあらかじめ設定された目標値への進捗状況、及び／又は、あらかじめ決められた体積容量の仮想プラスチック容器の数（例えば、２０ｍＬ．のプラスチックウォーターボトル）、といった一またはそれ以上の形式で送信されてきた各ユーザの合計水量１５４を追跡することが好ましい。これらは、合計で各ユーザの合計水量１５４と容量分析で等しい。
【００３０】
実施例では、各ユーザがパスコードを入力することによって、コンピュータ要素１５０で認証ＩＤを読み取ることができる。追加で又は代替的に、認証ＩＤを、生体検出（例えば、指紋、虹彩認識、その他）によってコンピュータ要素１５０で読み取ることができる。さらに、追加で又は代替的に、認証ＩＤは、無線自動識別（ＲＦＩＤ）タグ、近距離無線通信（ＮＦＣ）タグ、その他を用いて、コンピュータ要素１５０で読み取ることもできる。このような実施例では、ＲＦＩＤ又はＮＦＣタグを、各ユーザの飲用容器（例えば、カップ、マグ、魔法瓶、又はびん）に埋め込む又は収納することができる。このような場合、ユーザＩＤは、単純に、タグを埋め込んだ容器によって認証して、発生器から注水した水を受け取ることができる。
【００３１】
発生器１００の実施例は、通常、一またはそれ以上の動的構成要素（例えば、動作中に移動する部分を有する構成要素）を具えている。一またはそれ以上の動的構成要素は各々、人に可聴である各音響サイン（例えば、ノイズ）となる、動的状態を有している。このような実施例では、コンピュータ要素はノイズコントロールスケジュールでプログラムすることができる。このノイズコントロールスケジュールは、動的構成要素の一またはそれ以上が、自動的に各低減された活性状態あるいは不活性状態に維持されている時間を含むように構成されている。低くなった活性状態は、各構成要素が、活性状態で発生するであろうノイズより少ないノイズを発生する。同時に不活性状態では、通常各構成要素は全くノイズを出さない。このような動的構成要素の例は、ファン要素１８０、コンピュータ要素１１４、及びポンプ要素１２２と１８２を具えていてもよい。
【００３２】
ノイズコントロールスケジュールは、例えば、発生器１００のタッチスクリーンインターフェース１０２を用いて、部分的にユーザが変更可能であってもよい。例えば、スクリーンアイコンを選択することによって、あるいはボタンを押すことによって、ユーザは発生器１００を即時サイレントモードにおくことができる。追加で又は代替的に、図１７を参照すると、コンピュータ要素１５０は、ネットワーク中の別のノードから操作しているカレンダープログラムとネットワーク通信する場所に配置することができる。ノイズコントロールスケジュールは、カレンダープログラムを用いて変更することができる。所定のアプリケーションでは、ネットワークがオフィス環境のＬＡＮであり、例えば、カレンダープログラムにスケジュールされたミーティングが発生器１００がある部屋で行われる場合、一またはそれ以上の動的構成要素が自動的に、スケジュールされたミーティングの期間、それぞれ低減された活性状態又は不活性状態になる。
【００３３】
特定の実施例では、コンピュータ要素１５０は、自動化した家庭電化製品制御スケジューラとネットワーク通信するように配置することができる。このような実施例では、ノイズコントロールスケジュールをその家庭電化製品制御スケジューラで変更することができる。
【００３４】
発生器１００の所定の実施例では、コンピュータ要素１５０は、エネルギィ制御スケジューラを用いてプログラム可能である。エネルギィ制御スケジューラは、発生器１００の一またはそれ以上のエネルギィ消費構成要素が自動的に各低電力状態あるいは電力オフ状態に維持される時間を含むように構成することができる。このような実施例では、コンピュータ要素１５０は、電気公益事業会社とネットワーク通信するように配置して、高い要求時間を表示する周期的あるいはリアルタイムでの送電要求データをその会社から受け取るように構成することができる。コンピュータ要素１５０は、次いで、この情報を用いて、エネルギィ制御スケジュールを変更して、一またはそれ以上の電気エネルギィ消費構成要素が、表示されている高い要求時間中の活性状態にある時間を低減することができる。このエネルギィ制御スケジュールは、発生器１００のタッチスクリーンインターフェース１０２を用いて、ユーザが変更可能とすることもできる。
【００３５】
発生器１００の実施例は、水発生要素から液状水を受け取るように構成した回収リザーバ１１８を具えており、その量を一時的に保存するようにしてもよい（例えば、フィルタ１３０と静菌性要素を介して、冷水および温水の持ち運び可能なタンクに汲み上げる前）。リザーバＵＶランプ１２０は、回収リザーバ１１８を通って延在して、リザーバから軸方向に取り外し可能にすることができる。例えば、リザーバ１１８は発生器１００のキャビネットの外側へ摺動可能に引っ張ることができ、ＵＶランプ１２０は横方向において、リザーバ１１８から軸方向の取り外しによって取り外して、配置しなおすことができる。リザーバＵＶランプ１２０は、リザーバ内で横方向にほぼ中央にあり、リザーバ内に存在する水のＵＶ光への露出の最大化を支援することが好ましい。
【００３６】
図１０を参照して説明すると、冷水タンク１２６は、関連するフロータ２２６と電子水レベルコントロール２２４を有する。リザーバ１１８は関連する電子水レベルコントローラ２２４とフラット水フィルタ２１８を有する。水漏れセンサ２２８が、発生器１００の底部に向けて設けられており、発生器１００のいずれかの構成要素から水漏れが生じた場合に警告を発する。冷水および温水タンクは、連結チューブ２２０で互いに流体連通していてもよい。連結チューブは、温水タンクの入り口２１４に接続している。電子制御エンクロージャ２２２を設けるようにしてもよい。
【００３７】
発生器１００の実施例では、回収リザーバ１１８は通常、水生成要素から液状水を受け取り、一時的にその量を保存するように構成されている。説明のために図１を参照すると、オゾン発生器１８８は、オゾン導管１９０を介して回収リザーバ１１８へルーティングできるオゾンガス１９６を発生するように構成することができる。このような実施例では、保存した量の存在が、保存した水の上表面における水線１９２を規定し、回収リザーバ１１８がオゾンガス発生器１８８からオゾンガス１９６を受け取って、オゾンガスをこの水線１９２の上方位置において回収リザーバ１１８内に送り出すオゾン入り口１９４を具えている。冷水タンク１２６が回収リザーバ１１８と流体連通している実施例では、オゾンガス１９６が、オゾン導管１９０を介して冷水タンク１２６の上側部分１２７にルーティングできる。圧力均等化バルブ１９８（例えば、スロットルバルブ）を設けて、回収リザーバ１１８と冷水タンク１２６にルーティングしたオゾンガス１９６を配分するようにしてもよい。代替的に、あるいは追加で、ウォーターライン制限レベル２００を回収リザーバ１１８にあらかじめ規定しておき、オゾン入り口１９４を、このウオーターライン制限レベル２００の上方位置において回収リザーバ１１８内にオゾンガス１９６を送り出すように構成することもできる。
【００３８】
冷水１２６を有する発生器１００の特定の実施例では、冷水タンク１２６が回収リザーバ１１８から水を受け取るように構成されている。このような実施例では、温水タンク１２８内に入っている水を加熱するように構成した加熱要素に接続されている少なくとも一の温水タンク１２８が冷水タンクから水を受け取るように構成されている。中央処理装置が設けられており、この装置は、コントロールパネルを介してユーザによってプログラム可能である。中央処理装置は、加熱要素と通信して、規定のプロトコルに従って加熱要素に電力を送達させる。このプロトコルは：（ｉ）電源から加熱要素に送達すべきパルスエネルギィの周波数と大きさ；および（ｉｉ）温水タンクおよび冷水タンク内にある水の設定温度、又は設定温度範囲；を規定している。
【００３９】
上述のプロトコルは、さらに、休止時間を規定しており、ここで、この休止時間とは、温水タンク内にある水の設定温度又は設定温度範囲が、正常作動期間に関連する温度に対して下がっている期間である。このプロトコルは、さらに、（ａ）温水タンク内にある水の設定温度又は設定範囲温度が、冷水タンク１２６内にある水の上になったかどうか；（ｂ）冷水タンク１２６内にある水の設定温度又は設定温度範囲が、温水タンク内にある水の上になったかどうか、を規定している。このプロトコルは、さらに、持ち運び可能な大気水発生器１００の総電力使用制限量を規定するようにしてもよい。
【００４０】
特に、これらの実施例では、総電力使用制限量が、（ａ）エネルギィの各パルスとともに送達される特定のあるいは最大エネルギィ量；（ｂ）規定の時間にわたって送達される総最大エネルギィ量；あるいは（ｃ）（ａ）と（ｂ）の組み合わせであってもよい。
【００４１】
図７及び９を参照すると、発生器１００の所定の実施例は、冷水タンク冷却コンプレッサ１２４と、回収リザーバ１１８から水を受け取るように構成した冷水タンク１２６を具えていてもよい。冷水タンク１２６は、その中に：（ａ）縦方向に延在するシュラウド要素１３８であって、シュラウドされている体積１４０の横方向外周を規定している要素、（ｂ）横方向（例えば、ラジアル方向）に延在するバッフル要素１３６であって、シュラウドされている体積１４０の上側外周を規定している要素、及び（ｃ）冷却コンプレッサ１２４と流体連通して、シュラウドされている体積１４０内に配置されている、冷媒蒸発器コイル１３４を、配置している。バッフル要素は、冷水タンク内でペデスタル要素１３７によって支持されている。シュラウド要素１３８は、冷水タンク１２６の底壁１２５から垂直に延在していてもよい。温水タンク１２８は、例えば、シュラウドされている体積１４０の外側に配置された第１の冷却タンク出口ポート１２９によって冷却タンク１２６に流体を受けて連通してもよい。冷水タップ１４４は、シュラウドされている体積１４０内に配置された第２の冷却タンク出口ポート１４５によって冷却タンク１２６に流体を受けて連通してもよい。冷水タンク内のこのシュラウドされた蒸発コイルの構成によって、より冷たい水が作られ、冷水タンク内の全水量を最も冷たい給水温度に維持する必要がなくなるため、より効率よく給水される。むしろ、冷水タンク内のより制限された量の水が、最も冷たい給水温度に維持される。
【００４２】
図１８を参照すると、本発明に係るシステムの例示的実施例は、一またはそれ以上の持ち運び可能な大気水発生器１００（ＡＷＧｓ）を具えている。ＡＷＧｓは、それぞれ、水生成要素と、流量測定要素と、コンピュータ要素１５０を具える。水生成要素は、通常、大気からの水蒸気を液状水に変換するように構成されている。流量測定要素は、一またはそれ以上の各休止期間１５２に、ユーザがＡＷＧｓから給水した持ち運び可能な水の一またはそれ以上の量を決定するのに使用するよう構成することができる。コンピュータ要素１５０は、ユーザのプロファイルデータ、給水データ、及びサービスデータを取得するように構成されている。ユーザのプロファイルデータは、一またはそれ以上の登録ユーザに関する。給水データは、登録ユーザが給水した持ち運び可能な少なくとも一またはそれ以上の水の量に関する。サービスデータは、各発生器１００の一またはそれ以上の構成要素の動作に関する。サーバ要素は、ＡＷＧコンピュータ要素とネットワーク通信することができ、ユーザのプロファイルデータ、給水データ、及びサービスデータの一またはそれ以上をこの要素から受け取るように構成されている。このネットワーク通信は、インターネット接続を介することが好ましい。
【００４３】
システムの所定の実施例では、サーバ要素が、各登録ユーザが給水した持ち運び可能な水の各体積を、競合する登録ユーザ間の統計的なあるいはゲームベースの競争への入力として追跡するデータベース要素を具えていてもよい。さらに、サーバ要素は、各ユーザのモバイルコンピュータデバイスでアクセスできるアプリケーションプログラミングインターフェース（ＡＰＩ）を稼働することができる。ＡＰＩは、一またはそれ以上の登録ユーザのソーシャルネットワークアカウントに接続可能にして：（ａ）各登録ユーザに関連する給水データ；および（ｂ）各登録ユーザが給水した持ち運び可能な水の一またはそれ以上の体積の各々と総合的に体積が等しい、あらかじめ決められた体積容量の仮想プラスチック容器の各数；を入手可能にできる。
【００４４】
実施例では、サーバ要素は、さらに：（ｉ）各給水期間中にすべての持ち運び可能な大気水発生器から各登録ユーザが給水した持ち運び可能な水の総量を含む、総ユーザデータ；（ｉｉ）水の使用に関する教育的あるいは啓発メッセージ；（ｉｉｉ）水の保護に関する教育あるいは啓発メッセージ；（ｉｖ）ブランドに関するグラフィックス、メッセージ、あるいは販促；および（ｖ）サービスの通知；の少なくとも一またはそれ以上を、各ディスプレイスクリーン１０２に表示するＡＷＧコンピュータ要素１５０に送信するように構成することができる。サーバ要素は、さらに、コンピュータ要素１５０に、ソフトウエアアプリケーションの更新を送るように構成してもよい。
【００４５】
大気から持ち運び可能な水を生成する方法の実施例は、（ａ）大気からの水蒸気を液状水に変換するように構成した水生成要素を提供するステップと；（ｂ）水生成要素と水を受け取るように連通しており、開状態と閉状態との間でユーザが駆動できる少なくとも一のタップ要素を設けるステップであって、この少なくとも一のタップ要素が開状態にあるときにタップから給水することができ、閉状態にあるときにタップからの給水を止めて、コンピュータ要素を選択するように構成されているステップと；を具える。（ｉ）駆動期間１４６は、それぞれ、少なくとも一のタップ要素１４４の開状態が続いている各時間によって規定される。駆動された水量１４８は、それぞれ、各駆動期間に給水された水量によって規定される。コンピュータ要素は、好ましくは：（ｉ）発生器の一またはそれ以上の登録ユーザを登録し；（ｉｉ）それぞれのユーザ給水期間を通じて給水された稼働水量を記録し；（ｉｉｉ）各登録ユーザに帰属する稼働水量を加算して、各ユーザの合計水量を規定し；および（ｉｖ）一またはそれ以上の登録ユーザに各ユーザ合計水量を送る；ように構成されている。
【００４６】
本発明に係る実施例は、その他の新規な特徴に加えて：（ａ）除湿プロセスのプログラム可能性とエネルギィ効率の強化、（ｂ）静菌性ＵＶ光設計、（ｃ）セルフクリーニングオゾン消毒設計、（ｄ）水の加熱と冷却に関連するエネルギィ効率の強化、及び（ｅ）ユーザインターフェース；のうちの一またはそれ以上における改良がなされていてもよい。
【００４７】
除湿プロセスに関して、従来の持ち運び可能なＡＷＧｓの水生成サブシステムは、例えば、各機械が保存している水の水位が低いときにいつでも、その日のランダムな時間に稼働する。このような従来のシステムは、このことによって、ＡＷＧｓが取り付けらえている部屋で、その日の不適切な時間にコンプレッサのノイズを発する（例えば、使用している会議スペース、睡眠中の子供の寝室、その他）。この問題を解決するために、本発明の所定の実施例は、ユーザが、ＡＷＧの水生成サブシステムを稼働させる時をプログラムできるようにしている。この結果、ユーザは、環境内における必要性に基づいてノイズレベルを制御することができる。このように、ここに開示されている改良されたＡＷＧシステムは、例えば、家庭やオフィスの設定の静かな場所でより適切に利用することができる。
【００４８】
例として、ユーザはＡＷＧ機械を、機械が月曜から金曜に、６ｐｍから８ａｍまでの時間、あるいは、代替的に、その時間同じ部屋で会議が予定されている特定の日の１ｐｍから３ｐｍを除いていつでも、水を１００％自由に生成するようにプログラムすることができる（例えば、会議中に機械がコンプレッサーノイズを発しないようにする）。このような特定の実施例では、コンピュータネットワークベースのスケジュール（例えば、Ｍｉｃｒｏｓｏｆｔ  Ｏｕｔｌｏｏｋ（登録商標）など）は、ＡＷＧと遠隔でインターフェースをとって、機械が同じ部屋で会議が予定されている期間は、水を生成しないように自動的にプログラムされるようにしてもよい。このような実施例では、スケジューリングを行う秘書又は事務員は、例えば自分のコンピュータに通常行っているように、会議室の使用を単にスケジュールすることができ、コンピュータ（あるいは、例えば中間サーバ）が対応する水生成停止時間を、会議室内に配置されているＡＷＧ機械に通信する。
【００４９】
ここで、ＡＴＴＡＣＨＭＥＮＴ  Ａを参照すると、所定の好ましい実施例は、タッチスクリーンインターフェースを具えていてもよい（例えば、ＩＰａｄや同様のタブレット）。このようなインターフェースは、ユーザの約束事を大幅に増やして改善することを目的とした機能性と、たとえば、以下の一またはそれ以上のステップを具えることでより効率の良いシステムオペレーションを提供できる。
【００５０】
（ａ）例えば、ホストオフィスによる総計中で、プラスチックコンテナ（例えば、５ガロンのジャグ又はシングルユーザサイズのプラスチックボトル）からの水に代えて、本発明による機械からの「Ａｉｒ  Ｗａｔｅｒ」を消費することにより、何本の１６．９ｏｚ．のプラスチックボトルが節約されていることを表示する進行中の計算板又は表示板を提供する。
【００５１】
（ｂ）個人アカウントを提供し、これによって、個人のコードを入力する（例えば、その個人のイニシャル）又はカードあるいはその個人のアイデンティティに独自のセンサをスワイプすることによって、各オフィスユーザがどのくらいの水を、毎日／毎週／毎月／毎年、個人的に消費したか、並びに個人の設定の好みを追跡できる。ユーザを認識する古典的な方法は、ユーザのリストから選択するなど、活性入力が含まれる。比較すると、本発明の実施例は、生体認証を介して（指紋又は虹彩のスキャンを含む）、カスタム静的マーカー（例えば、独自の無線周波数認証／ＲＦＩＤ又は近距離無線通信／ＮＦＣ）を介して、あるいは、既存のマーカと特定認証をカップリングさせる（例えば、ユーザのセルラーホンや、車のキーフォブを用いる）ことによる、静的認証を含むことができる。カスタム静的認証マーカは、キーカードの形で存在し、あるいは、水収納容器内に埋め込んで、自動認識するようにしてもよい。また、活性入力を行う必要なく、ユーザと実施例との間の即時接続が可能である。この即時接続によって、空気―水―発生器の全体の使用が増え、水消費の追跡が強化され、給水に要する時間が減り、データの安全性が高くなり、デバイスとのユーザエンゲージメントが強化される。このような特徴は、ＡＷＧ機械が置かれている家庭の構成員、ビジネス設備あるいはオフィススペース間での競合を促す。例えば、どの個人、チーム、部署、あるいはオフィス消費者が、所定の期間に機械から最も多く水を消費するかが決まる。このような競合は、参加者の健康の改善を促し、参加者による環境に対する挙動（例えば、プラスチックボトルの節約を介して）の激励となる。改善されたＡＷＧシステムの一部を構成するタブレット又は関連する構成要素は、ワイヤレスで各データをモバイルデバイス（セルホン、タブレット、その他）、又は特定のユーザのパーソナルコンピューターに送信するように構成できる。
【００５２】
（ｃ）楽しく啓蒙的な水に関連する事実とメッセージをタブレットスクリーン上に表示するステップ。例えば、ユーザはどのくらいの水を平均的な人間が一日に消費するのか；プラスチックボトルを作るのにどのくらいの水が必要なのか、などを教えられる。代替的に、あるいは追加で、ローカル／地域／国内／国外のニュース、スポーツ、エンターテインメント、及びファイナンスを表示してもよい。さらに、代替であるいは追加で、タブレットに、国全体に及ぶ災難や、局所的道路事情、などの緊急通知を載せてもよい。タブレットを用いたユーザの経験を強化するために、ＡＷＧ機械の実施例には、音と音響を提供するスピーカ１０４を設けてもよい。
【００５３】
（ｄ）健康と労働生産性アイテム、及び心を鼓舞するアイテムの表示。
【００５４】
（ｅ）社会的及び環境的に責任のあるメッセージと映像の再生。
【００５５】
（ｆ）スケジューリング／アナウンスメント、綱領、家庭での買い物メモ、などの、会社又は家庭のメッセージを表示。
【００５６】
ＡＷＧ機械（例えば、構成要素の故障又は交換が必要なフィルタ／ランプ）の性能に関する診断情報を提示するステップ。関連して、このような診断情報は、メインオフィス又は本社に送信され、いくつかの場合、解決可能であり、問題を遠隔で解決する。このアプローチにより、ガス、エネルギィ、及び／又はマンパワーの節約となる。さらに、特定の実施例では、タブレットの無線プログラミングは、様々な場所における様々なカスタマによって操作されるＡＷＧ機械と通信する操作ヘッドクォータから遠隔で行うことができる。
【００５７】
ここに述べた改良型ＡＷＧ機械に関する特定のネットワーク可能な実施例では、性能に関するデータと、各機械に関連する水の消費量およびパターンを送信するように構成することができる。一またはそれ以上のネットワークサーバは、このようなデータを受け取って、例えば、機械の利用、消費者の挙動（例えば、どれだけの水を消費したか、どれだけ頻繁におよび何回使用したか）を追跡し、各機械があるところの局所的な天気パターンを各機械のそのほかのマシーン性能パラメータに関連させる。ＡＷＧ機械の好ましい実施例は、ワイファイ接続によってインターネットに接続するように構成できる。実施例では、特定設備（例えば、オフィス）にある複数のＡＷＧ機械が、無線で又は別の方法で互いに相互接続されていて、データを共有するあるいはその設備内のＡＷＧ機械からデータを効率よく集めるのを容易にすることができる。機械の購入者は、無料のあるいはディスカウントした故障点検修理とメンテナンス（例えば、フィルタ交換、タンクと導管の清掃、及び／又は機械の構成要素の修理又は交換）を提供することで、機械をネットワークにつなぐ（例えば、一又はそれ以上の遠隔ネットワークサーバと通信する）ことが奨励される。このようなネットワーキングは、故障点検修理及びサービスプロバイダの利点に働き、このようなプロバイダは、ネットワーク接続を介してＡＷＧ機械のタブレット上に音響、映像あるいはスチルショット宣伝を提供することができるとともに、各宣伝によって埋め合わせがなされる。このような宣伝は、例えば、宣伝サーバ又はデータベースからのそれぞれの宣伝のストリーミングによって、ネットワークとタブレットを介して提供できる。
【００５８】
静菌性ＵＶ光設計および構成を改良する必要性に関して、歴史的には、ＡＷＧ機械に保存されている十分に大量の水にＵＶ光を完全に当てることが難しかった。例示として、いくつかの従来のＡＷＧ機械は、ＵＶチューブを設け、このチューブを通って水が汲み出されるあるいは流れるようにしている。これは一般的には、発行したＵＶ光線に細菌の直接的な露出が制限される結果となる。この問題に対処するにあたり、本発明の実施例では、水回収又は保存リザーバ１１８のほぼ体積中央平面又は中心点を横切って移動可能に配置された一またはそれ以上のＵＶバルブ１２０を提供している。（例えば、図５および９を参照）。このような構成により、保存した水のより大きな割合、及びその中の細菌が、より直接的に、より長期間、ＵＶ光にさらされることになる。
【００５９】
歴史的には、持ち運び可能なＡＷＧ機械はユーザの注意とロイヤリティに関連する特徴に大きく欠けていた。例えば、このような従来のシステムは、楽しく啓蒙的である、あるいはユーザの感覚を機械の仕様を介してより環境的に責任あるものにするような相互作用を提供していない。本発明による実施例は、例えばタッチスクリーンタブレットによってユーザインターフェースを提供することができる。このようなユーザインターフェース装置は、以下の一またはそれ以上のことを可能にする。（ａ）ユーザに、ユーザの毎日／毎週／毎年の水の消費と、プラスチックボトルの節約を通じた積極的な環境影響を追跡（又は、オンデマンドで）する独自の「ユーザ水分プロファイル」を作成させてモニターする；（ｂ）ユーザに、地方又は全地球的関係にある、毎日の楽しみ／啓蒙的水、健康、教育的、環境的事実を経験させる；および（ｃ）ユーザが自身のために現在行っている積極的な環境影響、及び、例えば、彼らのＡＷＧ機械の使用が、それぞれ使用しなければ海と埋立地に捨てられたプラスチックボトルの数に関連するその他の影響を表示する。
【００６０】
ＡＷＧｓ内の最近の成長のコントロールに提案された近年の解決策は、オゾン処理の使用である。例として、オゾン処理又は関連するオゾン発生器が、ＡＷＧの水回収タンクの底にあるいはその近傍に取り付けられている。従来の考え方は、オゾン処理は大規模な自治体の水処理プラントで排水処理に何年もの間使用されていたため、非常に小さいＡＷＧのアプリケーションに使用すると有効であろうというものであった。残念なことに、これは事実ではない。自治体の水処理プラントのアプリケーションでは、発生したオゾンは、例えば、大量のベンチュリ効果のある独立型混合加圧システムの使用によって処理すべきと求められた水により多くのパーセンテージで、より活発に混合されている。
【００６１】
対照的に、従来のＡＷＧ機械の回収タンク又は冷水タンクの底からのオゾンバブル流の発生によると、各タンクに含まれる水に比較的少ないパーセンテージで直接接触している。この結果、高い、活用されていないオゾン濃度が放出周辺大気に放出される。むしろ、このような従来のＡＷＧ機械で産出される相当量のオゾンは、各タンクの水線の上で回収を終えて、周辺大気への放出が必要である。周辺環境の住人を危険なオゾン露出から保護するために、フィルタをしばしば提供して、オゾンガスが従来のＡＷＧ機械から周辺環境へ放出される前に、オゾンガスを分解する。
【００６２】
本発明の一態様によれば、従来技術に提案されている解決策より実用的かつ効果的な方法で細菌増殖の解決を含めることができる。大部分の細菌増殖は、回収タンク内の水の中では実際には始まらず、むしろ、回収タンクの壁で開始する。例として、タンク内で上がったり下がったりする水位が、タンクの壁を湿潤させ湿らせる。これは、細菌繁殖には理想的な条件である。本発明は、オゾン分配システムを実装しており、より少量のオゾンガスを発生する。例えば、図１を参照すると、本発明の好ましい実施例において、オゾンガスはタンク内に含まれる水の中で発生する必要はなく、むしろ、タンクの壁の細菌増殖を管理又は除去するために水線上の位置で発生させている。この結果、細菌増殖は、各水タンク内のＡＷＧで最も細菌が増殖する領域で止まる。圧力均一化バルブ（図１では「スロットルバルブ」）を設けることで、回収タンクが確実にバランスの取れた量の発生したオゾンを受け取ることができる。補助的な取り外し可能かつ交換可能なＵＶランプ１２０を回収タンク１１８に設けて、水自体の中でも細菌増殖を防止することができる。実施例では、水路のＵＶランプ１０６も設けられている。
【００６３】
さらに、本発明に係る実施例では、従来の「水中」での解決策より、優位に少量のオゾンを発生するため、過剰オゾンガスの生成が防止される。したがって、従来技術に通常みられるオゾンフィルター機構を設ける必要がない。
【００６４】
例えば、図７及び９を参照すると、本発明に係る所定の実施例は、冷水タンク１２６の設計の改良を特徴としており、これによって、ＡＷＧの分野における従来の冷水タンクの解決策に比べてより早く、より効率よく冷水を生成できる。比較的小さな（例えば、約８０ワット）冷凍圧縮機ユニット１２４（主脱湿コンプレッサから完全に独立している）を、冷却パイプのコイル１３４に接続して設け、バッフル１３６の下の冷水タンク底部に物理的な氷のリングを作ることができる。
【００６５】
本発明の特定の実施例は、温水タンク技術の改良を特徴としており、これによって、ＡＷＧの分野における従来の温水タンクの解決策に比べて、より少ないエネルギィ消費でより高温の水を生成できる。最も古い給水機械では、温水タンクの水温が一旦所定のレベル以下に下がると、水を加熱するのに相当量のエネルギィが使われている。この水温が上側設定点まで上がると、このエネルギィは水温が数分間あるいは数時間後に下側設定点に下がるまで加えられない。水温が下がると（必然的に時間がたつ）、従来の発生器は出力を上げて所望のレベルに水温を上げなくてはならないであろう。この結果、コーヒーやお茶の消費者にとって一貫性のない温度経験となる。これに対して、本発明の好ましい実施例は、小型（例えば、約７５ワット）の発電機を具えており、非常に小さいが一貫性のあるエネルギィパルスを発生して、水温を一貫して高く保つことができる。
【００６６】
本発明の所定の態様によれば、図１及び２の符号１００で示すような持ち運び可能なＡＷＧｓが提供されており、これは、外側部分と内側部分を有するキャビネットを具え、キャビネットの内側部分は、大気中から回収した水をリザーバにためるように構成した脱湿サブシステムを収納するように構成されている。このＡＷＧｓは、冷水タンクと；少なくとも一の温水タンクであって、この温水タンク内に収納されている水を加熱するように構成した少なくとも一の加熱要素（コイル）に接続された温水タンクと；ＡＷＧ上の制御パネルを介してユーザがプログラムできる中央処理装置（ＣＰＵ）と；を具える。このＣＰＵは、加熱要素と連通して、規定されたプロトコルに基づいて加熱要素に電力を送るように構成されている。
【００６７】
本発明によれば、このようなプロトコルがとりわけ、（ｉ）電源（温水タンク内に含まれる水を加熱するための）から加熱要素へ送達するパルスエネルギィの周波数と大きさ（エネルギィの一定の流れと逆に）；および（ｉｉ）温水タンクおよび冷水タンク内に含まれる水の設定温度、あるいは設定温度範囲、を特定する。
【００６８】
本発明の更なる態様によれば、ＣＰＵ又はＭＣＵは、そのほかのプロトコルを実行するようにプログラムすることもできる。例えば、別の規定されたプロトロコルが、ＡＷＧの停止期間を特定することもでき、この停止期間は、温水タンク内に収納された水の設定温度又は設定温度範囲が、通常の稼働期間（ＡＷＧがより多く使用されており、温度を高い温度に保つことができる場合）の設定温度に比較して低くなる時間であってもよい。さらに、本発明は、規定されたプロトコルが、（ａ）温水タンク内に収納された水の設定温度又は設定温度期間が、冷水タンクに収納された水より優位に立っているかどうか；あるいは（ｂ）冷水タンク内に収納された水の設定温度又は設定温度期間が、温水タンク内に収納された水より優位に立っているかどうかを、特定することができる。この設定により、温水タンクと冷水タンクの両方の水温が、規定のかつ所望の範囲外にあるときに、ＣＰＵがどのようにエネルギィを使うかの優先順位を決める。
【００６９】
本発明の更なる態様によれば、規定されたプロトコルがさらに、ＡＷＧ用の総電力使用制限を特定することができる。これには、温水および冷水タンクに提供されるエネルギィの各パルスの周波数と大きさが含まれ、同様に、ある期間を超える総合最大電力の使用についての制限もきめる。
【００７０】
本発明は、本明細書に記載した水（および、飲料）ＡＷＧｓのタイプにおける冷水および温水の維持に使用するエネルギィを節約する改良型装置と方法を提供している。本発明は、このようなエネルギィ節約特性が、家庭又はオフィスで使用できるエネルギィ量に厳しい制約がある国々（または、所定の時間に使用できるエネルギィ量が例えば１２００ワットより少ない地域）で特に重要である。エネルギィの節約に加えて、本発明によれば、上述したようにエネルギィの周期的パルスを介して温水タンクの高温を維持することで、温水タンクの従来のヒータに関連する好ましくないケトルノイズを少なくすることもできる。
【００７１】
持ち運び可能なＡＷＧｓ内に収納した水の加熱および冷却を制御する所定の装置及び方法に関連する。本発明のこれらの装置と方法が使用されるコンテキストを正しく理解するためには、以下の通り、本発明に関連して使用できるＡＷＧのタイプの非限定的な例を簡単に説明する。
【００７２】
本発明の所定の実施例によれば、水の加熱および冷却を制御する装置と方法を、ＡＷＧｓのコンテキストで使用できる。例えば、ＡＷＧは、外側キャビネットと、凝集水リザーバ１１８と流体連通した脱湿サブシステム（例えば、図５の１１４および１１６を参照）を収納するように構成した内部スペースと；冷水タンク１２６とこのタンクから冷水を給水する手段（例えば、アクチュエータボタン１０８）と；温水タンクと、温水タンク１２８から水を給水する手段（例えば、アクチュエータボタン１１０）とを具える。冷水タンク１２６は、冷水タンク内に収容した水を冷却するように構成した蒸発器に接続されており、温水タンク１２８は、そのタンクに収納した水を加熱するように構成した少なくとも一の加熱要素（例えば、加熱コイル）に接続されている。
【００７３】
ＡＷＧｓは、さらに、一またはそれ以上のフローセンサを具えており、ＡＷＧの冷水および温水タンク内に収容している水の流れおよび水量をモニタしている。本発明の実施例によれば、ＡＷＧｓが一連の内部チューブ／チャネルを具えており、凝縮した水回収リザーバ（又は回収タンク）１１８から冷水タンク１２６へ、及び冷水タンクから温水タンク１２８へ、送水するように構成されている。同様に、本発明によれば、ＡＷＧは一またはそれ以上のポンプ（例えば、図４及び５の符号１２２を参照）を具えており、このポンプを作動させて、回収タンク１１８から冷水タンク１２６へ、及び冷水タンク１２６から温水タンク１２８へ水を移動させることができる。
【００７４】
本発明の所定の好ましい実施例によれば、本明細書に記載されているＡＷＧｓ内に収納されている水を加熱および冷却する装置及び方法が提供されている。一般的には、本発明は：中央処理装置（ＣＰＵ）と、制御パネルと、加熱制御モジュールと、冷却制御モジュールと、温水タンク１２８の内側部分に取り付けた少なくとも一の温度センサと、冷水タンク１２６の内側部分に取り付けた少なくとも一の温度センサとを具える。本発明によれば、中央処理装置が、制御パネルに操作可能に接続されており、これによって、ユーザは制御パネル（インターフェース１０２など）を介して中央処理装置に指示を送ることができる。中央処理装置と制御パネルは、温水タンク内に配置した温度センサと、冷水タンク内に配置した温度センサと、冷却制御モジュールの入力端子を操作し、通信することができる。この実施例によればさらに、加熱制御モジュールの出力端子がＡＷＧヒータ（少なくとも一の加熱コイル）に操作可能に接続されており、一方、冷却制御モジュールの出力端子はＡＷＧ冷却装置（例えば、蒸発器）に操作可能に接続されている。
【００７５】
所定の実施例によれば、制御パネルがユーザインターフェースを具えていてもよく、これによって、ユーザはＡＷＧの加熱および冷却設定を選択的に制御することができる。さらに、本発明によれば、温水タンク１２８内に配置した温度センサが、温水タンク内の水温をモニタして、中央処理ユニットに送信する。同様に、実施例によると、冷却タンク内に配置した温度センサが、冷却タンク内の水温をモニタして、中央処理装置に送信する。以下にさらに説明するように、中央処理装置は、実際の水温をユーザが選択した所望の温度と比較して、必要があれば、タンク内に収納されている水を、選択した所望の温度と実際の水温が一致するまで、あるいは規定した範囲内で実質的に一致するまで（いかに詳細に述べる）加熱又は冷却する目的で、ＡＷＧヒータとクーラにこれらのタンクに提供されるエネルギィ量を調整するように構成することができる。
【００７６】
所定の好ましい実施例によれば、本発明において、ユーザは温水温度又は冷水温度が他方より優位になるべきかどうかを制御できる。例えば、ユーザが（制御パネルを通じて）温水の温度が冷水の温度に対して優位であるべきであると規定したら、また、温水タンクと冷水タンク内の実際の水温が、選択した温度設定から規定の範囲の外に外れたら、中央処理ユニットが加熱モジュールを介して温水タンク内の水を、温水タンク内の実際の水温が選択した温度設定から規定の範囲内になるまで、加熱するようにヒータに指示を出す（および、所定の温水温度に達したら、中央処理ユニットは、冷却ユニットに、冷却制御モジュールを介して冷却タンク内の実際の水温が選択した温度から所定の範囲内になるまで、冷却タンク内の水を冷却するように指示を出す。）反対に、ユーザが、（例えば、制御パネルを介して）冷却水の温度が温水の温度に優先すべきと特定し、温水タンクと冷水タンクの両方の実際の温度が、選択した温度設定から所定の範囲を外れたら、中央処理ユニットは、温水タンク内の水温を調整する前に、まず、上述したとおり、冷水タンクの水温を調整できる。
【００７７】
しかしながら、本発明によれば、加熱および冷却ユニットは、同時ではなく個別に動作して水温を調整することが好ましく、このことで、本発明のＡＷＧｓにより消費される総労働力（およびエネルギィ）を低減する。加えて、実施例では、ユーザが、コントロールパネルを介してＡＷＧの稼働（加熱および冷却）時間を規定することができる。中央処理ユニットは、このような規定したパラメータを内部クロックと合わせて受け取り、保存して、利用し、ＡＷＧが収納している水を加熱および冷却するよう機能するとき（および機能しないとき）を管理することができる。
【００７８】
さらに好ましい実施例によれば、本発明では、加熱制御モジュールが温水タンク内に収納されている水の温度を、エネルギィの短縮パルス（又はバースト）を加熱要素（コイル）に供給することによって調整する（あるいは維持する）ように構成されている。特に、中央処理ユニットと加熱制御モジュールは、温水タンク内に収納されている水を、エネルギィを持続して流すことに代えて、水を加熱する加熱要素に提供されるエネルギィのショートバーストを介して加熱するように構成することが好ましい。いくつかの実施例では、温水タンクに収納した水を加熱しなければならない場合、各エネルギィバーストの大きさが増加し、及び／又は、このようなエネルギィバーストの頻度が上がる。そして、温度を迅速に上げなければならない場合は、加熱制御モジュールが再調整を行って、持続的なエネルギィの流れ（フルパワー）を送り込む。しかしながら、ＡＷＧが「休止状態」にある場合（ユーザが制御パネルを介して特定した「休止状態」のタイミングと期間）、あるいは、温水タンクの水温が所望の温度に達したら、その後は、水温は、上述したエネルギィパルスを周期的に供給することによって維持することができる。
【００７９】
特定の実施例では、このような特徴がＡＷＧｓの総エネルギィ消費量を劇的に低減しつつ、所望の範囲内に水温を維持する能力を有する。例えば、最大ワット使用量が１２００ワットに設定されている場合、ＡＷＧは、「休止状態」（例えば、夜間、ＡＷＧが使用されないとき）にある間は３００ワットのみを使用するようにプログラムすることができ（制御パネルを介して）、あるいは、温水タンク内の水温が所望の温度に達した場合もそうである。コップ１杯の温水がＡＷＧから流出したら、中央処理ユニットは、必要があれば、温水タンク内の水を迅速に加熱するためにフルストリームのエネルギィを供給するように加熱制御モジュールに指示を送り、このような場合および飲料が給水された後、「休止状態」に戻る。このエネルギィ節約特性は、家庭又はオフィスで使用できるエネルギィ量が厳しく制限されている国々（あるいは、所定の時間に使用できるエネルギィ量がそのほかの多くの国より、例えば、１２００ワット以上低い領域）においては特に重要である。エネルギィの節約に加えて、本発明によれば、エネルギィの周期パルスを介しての温水タンク内の高温を維持することで、従来の温水タンクのヒータで生じていた、不要な「ケトルノイズ」を低減（又は、なくす）することができる。
【００８０】
加熱制御ロジックおよびプロセス
【００８１】
上述のエネルギィ節約方法は、ファジィロジックＰＩＤ（比例・積分・微分）制御器の使用を介して実装できる。この制御器は、可変パルス制御加熱アルゴリズムを使用している。特に、本明細書で述べた中央処理ユニットは、ＰＩＤ制御器の様々なパラメータ、すなわち比例（Ｐ）、積分（Ｉ）、及び微分（Ｄ）の値を駆動するように構成されている。このような制御器は、ＡＷＧに用いている加熱要素（コイル）に提供するワット数をエネルギィの消費を節約するように調整する目的で使用され、本発明によって水を加熱するように構成されている。
【００８２】
ここで用いているように、デルタ温度（Δｔ）値は、所望の設定温度（コントロールパネルを介してユーザが特定した）と実際の水温との差を表す。ここで、図１３及び１４を参照すると、ここに述べた水温制御手順の第１ステップ２０は、温度センサで温水タンク内の実際の水温を取得するステップと、次いで、この情報を中央処理ユニット（ＣＰＵ）に通信するステップを具える。次いで、ＣＰＵは、この水温の評価が、サンプリング期間（例えば２００ｍｓ）２２におけるΔｔ／Ｘより大きいかどうかを決定する。ここで、Ｘはデフォルト温度係数（この係数の非限定的な例は、Ｘ＝１５）である。ここで用いられているように、用語水温の「評価」とは、特定期間にわたる水温の変化（例えば上昇）を意味する。
【００８３】
説明のために図１４を参照すると、本発明では、ＣＰＵがサンプリング期間中の水温の評価がΔｔ／Ｘより大きい場合、現在の水温は下がり始める（ステップ２２）。ＡＷＧがフルパワーモードで作動している場合は、次いでＣＰＵがΔｔの値が、Ｓ１設定（以下に述べるように、Ｓ１は、第１の調整温度差動設定値）より大きいか否かを決定する（ステップ２８）。Δｔの値がＳ１設定より大きくない場合、ＣＰＵは、実際の水温が所望の設定温度に近い（Ｓ１設定範囲内、すなわち、Ｓ１設定値より小さいか、あるいはこれと同じである）かどうかを決定する（ステップ３２）。実際の水温が所望の設定温度に近い（Ｓ１設定範囲内）場合は、以下に述べるようにＰＩＤパラメータを「第１の設定値」に調整する（ステップ３４）。一方、実際の水温が所望の設定温度に近くない（Ｓ１設定範囲内にない）場合、以下に述べるように、ＰＩＤパラメータを「第２の設定値」に調整する（ステップ３６）。どちらの場合も、ＰＩＤパラメータを第２の設定値３４又は第２の設定値３６に調整したのち、所定時間経過後、加熱制御ロジックが再スタートする。
【００８４】
Δｔの値が、Ｓ１設定値２８より大きいと決定された場合、ＣＰＵは加熱要素にフルパワーで加熱するよう指示を送る。さらに、ＣＰＵは、ΔｔがＳ２（Ｓ２は、第２の調整温度差動設定値）より小さいかどうかを決定する（ステップ３２）。ΔｔがＳ２設定値より小さい（ステップ１６）か、これと同じ場合、ＰＩＤパラメータをＰＩＤパラメータの「第４の設定値」に設定し（ステップ４２）、所定時間経過後、加熱制御ロジックが再スタートする。Δｔの値が、Ｓ２設定値より大きい場合、加熱制御ロジックが再スタートする。
【００８５】
本発明によれば、ＣＰＵが、サンプリング期間内の水温の評価がΔｔ／Ｘより大きくないと決定したら（ステップ２２）、ＣＰＵは、現在の水温が下がり始めたかどうかを決定する（ステップ２４）。下がり始めていなければ、所定時間経過後、加熱制御ロジック再スタートする。ＣＰＵが現在の水温が下がり始めていると決定したら（ステップ２４）、ＣＰＵは実際の水温が所望の設定温度に近い（Ｓ１設定範囲）かどうかを決定する（ステップ２６）。特に、ＣＰＵが、ΔｔがＳ１設定値より小さいあるいはこれと同じであるかどうかを決定する（ステップ２６）。ＣＰＵが、ΔｔがＳ１設定値より小さいあるいはこれと同じであると決定した場合、ＰＩＤパラメータを、以下にさらに説明するようにパラメータの「第３の設定値」に設定し（ステップ３８）、所定時間経過後、加熱制御ロジックが再スタートする。ＣＰＵがΔｔがＳ１設定値より大きいと決定したら、ＣＰＵは、加熱要素に、フルパワー加熱するように指示を出し（ステップ４０）、所定時間経過後、加熱制御ロジックが再スタートする。
【００８６】
本発明によれば、ＣＰＵは、所望の第１（Ｓ１）、第２（Ｓ２）の調整温度差設定値の組み合わせでプログラムすることができる。しかしながら、好ましくは、本発明では、第１（Ｓ１）設定値が第２（Ｓ２）調整温度差設定値より小さい。所定の例示的実施例では、本発明は、第１設定値（Ｓ１）が華氏３２．９であり、第２設定値（Ｓ２）は華氏３３．８である。同様に、本発明によれば、ＣＰＵは、所望のＰＩＤパラメータでプログラムすることができ、選択的に、所望の通り変更できる。所定の例示的実施例では、本発明は上述したＰＩＤパラメータは以下の表に示す値である。
2016537277.tif 000003
【００８７】
水の加熱および冷却を制御する回路
【００８８】
本発明は更に、所定の新規な回路に及ぶ。この回路は、上述した装置を構成し方法を使用するのに用いることができる。本明細書で説明した回路の利点のある属性には：（１）本明細書に述べたＡＷＧｓの加熱動作と冷却動作を分けることができる（必要に応じておよびユーザが特定したパラメータに応じて）、（２）ＡＷＧｓの労働力を低減し、ＡＷＧｓの正味電気的負荷を低減するように構成されており、（３）コントロールパネルを介してユーザが特定した所定の時間（加熱時間と冷却時間を含む）に応じて、加熱要素および冷却要素の動作を制御するように構成されている（これも、エネルギィを節約する）、旨が含まれる。
【００８９】
特に、図１６を参照すると、本発明では、加熱制御モジュールがオーバーゼロ試験モジュール８、二方向制御可能なシリコン９、二方向制御可能なシリコン１０の第１の制御モジュール、及び二方向制御可能なシリコン１０の第２の制御モジュールを用いることが好ましいであろう。これは、光電子カップリングに奉公制御可能なシリコンドライブ１２、抵抗Ｒ１、抵抗Ｒ２、抵抗Ｒ３、及びサージ吸収回路１３（コンデンサＣ１と抵抗Ｒ４を具える）を具えている。本発明では、オーバーゼロ試験モジュール８の二つの入力端子がＡＣ電源１１の火線ＬとゼロラインＮに接続されている。さらに、本発明では、オーバーゼロ試験モジュール８の出力端子が、中央処理ユニットの入力ターミナルに接続されている。
【００９０】
図１６を参照すると、本発明では、光電子カップリング二方向制御可能なシリコンドライブ１２の送信端のアノードを、中央処理ユニットの第１の出力端と、抵抗Ｒ３を介して接続する。本発明では、光電子カップリング二方向制御可能なシリコンドライブ１２の送信端のカソードは接地させ、光電子カップリング二方向制御可能なシリコンドライブ１２の受信端を、二方向制御可能なシリコン９の第１のアノードＴ１に抵抗Ｒ１を介して接続する。本発明では、光電子カップリング二方向制御可能なシリコンドライブ１２の他方の端部が抵抗Ｒ２の端部と二方向制御可能なシリコン９の制御ポールＧに接続されており、抵抗Ｒ２の他端が二方向制御可能なシリコン９の第２アノードＴ２に接続されている。本発明では、コンデンサＣ１の一端が二方向制御可能なシリコン９の第１アノードＴ１とＡＣ電源１１の火線Ｌに接続されており、他端が抵抗Ｒ４の一端に接続されている（抵抗Ｒ４の他端は、二方向制御可能なシリコン９の第２アノードＴ２とヒータ１５の第１端に接続されており、ヒータ１５の他端は、ＡＣ電源１１のゼロラインＮに接続されている）。
【００９１】
上述したとおり、本発明では、ユーザがヒータ１５（例えば、加熱コイル）の労働力パラメータをコントロールパネルを介して規定できる。オーバーゼロ試験モジュール８は、ＡＣ電源１１のゼロ点を試験して、ＡＣ周期半分ごとに中央処理ユニットにトリガパルスを送信する。本発明では、中央処理ユニットがヒータ１５の労働力を、二方向制御可能なシリコン９の接続したＡＣ電力波と、接続していないＡＣ電力波を１秒ごとに変調して調整するように構成されている。本発明では、光電子カップリング二方向制御可能なシリコンドライブ１２が電力を隔絶するのに有効であり、抵抗Ｒ１およびＲ３は、電気の流れを制限するように構成されており、抵抗Ｒ２は、二方向制御可能なシリコン９が誤トリガしないように構成される。本発明では、サージ吸収回路１３が、サージ電圧を防止して、二方向制御可能なシリコン９がダメージを受けないように構成される。
【００９２】
図１６を参照すると、本発明では、冷却制御モジュールは、リレーＫＭと、トランジスタＱ１と、ダイオードＤ１と、抵抗Ｒ５を具えている。本発明では、中央処理ユニットの第２の出力端を抵抗Ｒ５を介してトランジスタＱ１に接続し、トランジスタＱ１の送信端を設置させる。本発明では、トランジスタＱ１のコレクタを、ダイオードＤ１のアノードと、リレーＫＭの一方のサークル端に接続し、リレーＫＭの他方のサークル端は、ダイオードＤ１のカソードと、ＡＷＧのＤＣ電源１４に接続する。本発明では、リレーＫＭの開放点端部がＡＣ電源１１の火点Ｌに接続され、他端はクーラー１６の一方の端部に接続され、クーラー１６の他方の端部は、ＡＣ電源１１のゼロラインＮに接続される。
【００９３】
これらの実施例によれば、本発明では、中央処理ユニットの第２出力端が、多量の電力を出力し、トランジスタＱ１が導通して、リレーＫＭサークルが電気的に接続され、リレーＫＭの開放点が閉じ、クーラ１６が作動し始める。同様に、中央処理ユニットの第２出力端が少量の電力を出力すると、トランジスタＱ１が切り離され、リレーＫＭサークルが電気的に切り離され、リレーＫＭの開放点が開き、クーラー１６は作動しない。
【００９４】
エネルギィ消費量を抑えつつ最大限に水を生産するために、本発明の実施例では、電気式及び／又は機械式の測定システムを具えており、最も広範囲の周辺温度と湿度条件でエネルギィ消費量を最小に抑えつつ、最大限に水を生産できる。このような測定システムは、例えば、大気条件に応答しており、大気条件に応じて、脱湿プロセスにおいて冷媒の流れを下げる又は上げることができる。このような測定システムは、冷媒の放出圧力と吸引圧力を常に変更することができ、大気温度と湿度の変動の優先する露点をマッチングさせることができる。例示として、大気温度と湿度レベルが低い場合は、測定システムが冷媒の流速を上げ、したがって、放出圧力を上げて、システムにおける吸引圧力を上げ、蒸発コイルの温度を水の凍結点以下に下げることなく、脱湿プロセスを続けることができる。反対に、大気条件（例えば、温度と相対湿度）が高い場合、測定システムは冷媒の流れを抑えて、これによって、より少ないエネルギィで脱湿プロセスを行うことができるようにする。したがって、測定システムによって、大気条件スペクトルのより高い点およびより低い点において、優位により高いエネルギィ効率とすることができる。
【００９５】
空気−水発生標準装置は、通常、物理的装置において局所的に開始するよう制御する必要があるため、モニタ能力が制限されており、モニタ可能であれば、通常、物理的装置のその位置においてモニタできるのみである。本発明の所定の好ましい実施例では、遠隔制御が可能であり、ワイヤレスおよびセルラ通信を介して装置のモニタができる。特に、このような実施例では、装置の制御を遠隔で行い、機械のログと統計をどの位置からでも読み取ることができる。これによって、さらに、このような実施例でインターネットベースのプラットフォームと相互作用して、統計をインターネット公開およびソーシャルメディアプラットフォームに公開し、ゲーム挙動およびゲーム相互作用のためのデータを使用できるようになる。このような公開データおよびゲーム挙動は、実施例のユーザがその統計を公開フォーラムに投稿し、これらの統計を、水の総消費量、ソーシャル又はエンビロンメンタル原因への総利益インパクト、水の生産と消費に関するエネルギィ効率といった基準について、その他のユーザとの競争に使用する能力を含む。各ゲームアプリケーションは、グラフィック表示を用いてゴール達成を示す能力と、ゲーム環境（例えば、レース車のゲームバージョンの燃料、バーチャルボードゲームのプレーヤーターン、あるいは、チャレンジにおけるプレーヤーのライフ）におけるアクションをトリガするリソースとしての統計データの使用、を含んでいてもよい。ゲームデータは、実施例と完全に一体化することができ、ユーザは、機械自体（例えば、ワイヤレス、あるいはセルラー通信、その他を介してほかのプレーヤとのグローバル接続を使って）の中でゲームをすることもできるし、パーソナルコンピューター、タブレット、双方向テレビ、あるいは電話機など離隔した装置でゲームをすることもできる。
【００９６】
本発明の所定の好ましい実施例は、一連の高品質クリーニングおよびフィルタリングプロセスを使用しており、両者とも非常に特別な機能を具えている。発生器１００に空気が入る前に、静電エアフィルタを通過することが好ましく、このフィルタが大きな浮遊粒子を捕まえてブロックする。空気中の水が凝縮するため、通常、空気は大きな粒子を除去する回収フィルタを通過する。水が保存タンク１１８中に回収されるため、天然オゾン、又はＯ３で処理を行い、源水を直ちに滅菌し、回収領域内での細菌の繁殖を防止することが好ましい。次いで、水がセディメントフィルタを通過して、大きな粒子又は水からの汚染物質を除去する。次いで、水はカーボンフィルタを通過して、さらに粒子を除去して、水の味を確実に新鮮でクリーンにする。水は、次いで、極微細膜フィルタを通過する。このフィルタは、非常に微細なオーバーラッピングメッシュを具えており、最も小さい不純物を取り除く。最後に水は紫外線消毒ステーションを通過して、細菌、ウイルス、かび、その他の病原体を含む残りのマイクロ微生物を死滅させる。水をろ過したのちに、飲用となり、発生器１００は水保存タンク（リザーバ１１８と冷水タンク１２６）のオゾン処理を続け、給水前に病原体がユーザの水に確実に入らないようにする。
【００９７】
本発明の好ましい実施例は、ユーザを引き付け、ユーザを見つけ、ユーザと契約して情報を提供し、ユーザを再びつなぐように構成されている。発生器をローカルＷｉ−ｆｉネットワークへ接続したり、あるいはブルーツースを介して、ユーザを発生器に引き付ける様々な方法を開拓する。モバイルアラートと通知を用いて、すべてのユーザに、ユーザの消費設定／パターン／スケジュールに基づいて製品を届けることができる。特定の実施例では、モバイルアプリケーションが発生器の近くにあれば、最も近いユーザが、その個人的な設定／好みに基づいて自動的にログインできる。このような実施例では、例えば、ホット（中間、低温、高温）又はコールド（中間、低温、高温）といったユーザのあらかじめ設定した温度の好みに基づいて、製品の物理的ボタンを押すと、所望の好みの水が、手に持った容器に注がれる。さらに、個人多岐な設定には、ブランド認知度実験ウイルスメッセージ用のソーシャルアカウントログインが含まれる。
【００９８】
ユーザと契約および通知という点では、ダッシュボード実験が水使用の全状態を表すことが好ましい。ユーザが製品又は製品に関するアプリケーションと相互作用するまで、スクリーンセーバが表示され、事実と情報を回転させる。例えば、ゲーミフィケーション特性をもつ実施例は、少なくとも４つの質問がついた双方向トリビアゲームに基づく水の事実を含む。正しく回答すれば、オプションがリーダーボードに加わり、表示されているブランドメッセージとともにソーシャルに（例えば、ソーシャルメディを介して）広がる。ゲーム特性は、あまり健康意識の強くないユーザが契約する追加の理由を与えることができる。
【００９９】
本発明の実施例を図に示して説明したが、これらの実施例が本発明のすべての可能な形態を図にして説明していることを意図するものではない。むしろ、明細書で使用されている用語は、限定ではなく説明の用語であり、本発明の精神と範囲から外れることなく様々な変更が可能である。
【図１】
2016537277.tif 000004
【図２】
2016537277.tif 000005
【図３】
2016537277.tif 000006
【図４】
2016537277.tif 000007
【図５】
2016537277.tif 000008
【図６】
2016537277.tif 000009
【図７】
2016537277.tif 000010
【図８】
2016537277.tif 000011
【図９】
2016537277.tif 000012
【図１０】
2016537277.tif 000013
【図１１】
2016537277.tif 000014
【図１２】
2016537277.tif 000015
【図１３】
2016537277.tif 000016
【図１４】
2016537277.tif 000017
【図１５】
2016537277.tif 000018
【図１６】
2016537277.tif 000019
【図１７】
2016537277.tif 000020
【図１８】
2016537277.tif 000021
【図１９】
2016537277.tif 000022
【図２０】
2016537277.tif 000023
【図２１】
2016537277.tif 000024
【図２２】
2016537277.tif 000025
【図２３】
2016537277.tif 000026
【図２４】
2016537277.tif 000027
【図２５】
2016537277.tif 000028
【図２６】
2016537277.tif 000029
【図２７】
2016537277.tif 000030
【図２８】
2016537277.tif 000031
【図２９】
2016537277.tif 000032
【図３０】
2016537277.tif 000033
【図３１】
2016537277.tif 000034
【図３２】
2016537277.tif 000035
【図３３】
2016537277.tif 000036
【図３４】
2016537277.tif 000037
【図３５】
2016537277.tif 000038
【図３６】
2016537277.tif 000039
【図３７】
2016537277.tif 000040
【図３８】
2016537277.tif 000041
【図３９】
2016537277.tif 000042
【図４０】
2016537277.tif 000043
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
大気のある環境で動作し大気から持ち運び可能な水を生成する持ち運び可能な大気水発生器において：
（ａ）大気から水蒸気を液状水に変換するように構成した水生成要素と；
（ｂ）水中にあり前記水生成要素との通信を受信するとともに、開状態と閉状態の間でユーザが操作でき、タップ要素が開状態にあるときにそこから給水でき、閉状態にあるときに給水しないように構成された少なくとも一のタップ要素であって：
（ｉ）作動期間が、それぞれ、少なくとも一のタップ要素が連続的に開状態にある時間長によって規定され、
（ｉｉ）水の作動量が、それぞれ、各作動期間に給水された量によって規定される、
タップ要素と；
（ｃ）コンピュータ要素であって：
（ｉ）前記発生器の一またはそれ以上の登録ユーザを登録し；
（ｉｉ）各登録したユーザによって給水した作動量を記録し；
（ｉｉｉ）各登録したユーザについて、各ユーザの給水期間を通して給水した作動給水量を加算して、各ユーザの総給水量を規定し；
（ｉｖ）各ユーザの総給水量を登録した一又はそれ以上のユーザに送る；
ように構成したコンピュータ要素と；
を具えることを特徴とする大気水発生器。
【請求項２】
請求項１に記載の持ち運び可能な大気水発生器において、前記ユーザの総給水量が：
（ａ）給水量測定の一またはそれ以上の標準単位；
（ｂ）各登録したユーザのあらかじめ設定したゴールに向けての進捗度；
（ｃ）各登録したユーザ群のあらかじめ設定したゴールに向けての進捗度；
（ｄ）各ユーザの合計水量にトータルで量的に等しいあらかじめ決められた容量の、複数の仮想プラスチック容器；
の少なくとも一つの形式で送られることを特徴とする大気水発生器。
【請求項３】
請求項１に記載の大気水発生器において、前記コンピュータ要素がディスプレイスクリーンを具え、前記ユーザの合計水量の送信が、少なくとも、前記ディスプレイスクリーン上に各合計水量を表示する方法で行われることを特徴とする大気水発生器。
【請求項４】
請求項３に記載の大気水発生器において、前記ディスプレイスクリーンがタッチスクリーンインターフェースであることを特徴とする大気水発生器。
【請求項５】
請求項１に記載の持ち運び可能な大気水発生器がさらに、大気温度、大気圧、及び大気湿度の一またはそれ以上を測定するように構成された一またはそれ以上のセンサ要素を具え、
前記コンピュータ要素が前記一またはそれ以上のセンサとデータ通信して、
（ａ）当該データから前記発生器が大気から液状水を生成できる流速を計算し；
（ｂ）その流速をディスプレイスクリーンに表示するように構成されている、
ことを特徴とする大気水発生器。
【請求項６】
請求項１に記載の持ち運び可能な大気水がさらに、前記コンピュータ要素を、ローカルエリアネットワーク、広域ネットワーク、セルラーネットワーク、ピアツーピアメッシュ、及び衛星の少なくとも一と通信できるように構成したネットワークインターフェースを具えることを特徴とする大気水発生器。
【請求項７】
請求項６に記載の持ち運び可能な大気水発生器において、前記通信がワイヤレス通信であるか、ワイヤレス通信を含むことを特徴とする大気水発生器。
【請求項８】
請求項６に記載の持ち運び可能な大気水発生器において、前記コンピュータ要素が、ディスプレイスクリーンを具え、ディスプレイ用のネットワークインターフェースによって、
（ｉ）水の使用に関する教育あるいは啓発メッセージ；
（ｉｉ）水の維持に関する教育あるいは啓発メッセージ；
（ｉｉｉ）ブランドに関するグラフィックス、メッセージ、又は販促；
（ｉｖ）サービスの通知；
のうちの少なくとも一つを受信するように構成されていることを特徴とする大気水発生器。
【請求項９】
請求項６に記載の持ち運び可能な大気水発生器において、前記送信したユーザの総給水量が、各登録ユーザのソーシャルメディアアカウントによってアクセス可能であることを特徴とする大気水発生器。
【請求項１０】
請求項６に記載の持ち運び可能な大気水発生器において、前記送信したユーザの合計水量が、
（ａ）一またはそれ以上の登録ユーザによってプレイできるコンピュータベースのゲームであって、前記合計水量が、
（ｉ）当該ゲーム内のイベントのトリガ；
（ｉｉ）当該ゲーム内のパラメータの表示；
の少なくとも一方である、
（ｂ）登録ユーザ間のコンピュータベースのコンペティションであって、コンペティターの各合計水量が相互のパフォーマンス比較のベースとして使用される；
のうちの少なくとも一方をデータ入力として送信できることを特徴とする大気水発生器。
【請求項１１】
請求項６に記載の持ち運び可能な大気水発生器において、前記送信したユーザの合計水量が、各登録ユーザのモバイルコンピュータデバイスによってアクセス可能であることを特徴とする大気水発生器。
【請求項１２】
請求項１１に記載の持ち運び可能な大気水発生器において、前記アクセス可能性が、中間サーバ要素によることを特徴とする大気水発生器。
【請求項１３】
請求項１に記載の持ち運び可能な大気水発生器において、少なくとも一のユーザ給水期間が、各登録ユーザによって最後に給水された時点で終了した現行の暦日の部分であることを特徴とする大気水発生器。
【請求項１４】
請求項１に記載の持ち運び可能な大気水発生器において、前記コンピュータ要素が再初期化するように構成された機械式カウンタを具え、前記ユーザの少なくとも一の給水期間が、最後の再初期化から終了した時間と同じであることを特徴とする大気水発生器。
【請求項１５】
請求項１に記載の持ち運び可能な大気水発生器において、前記ユーザの合計水量の少なくとも一つが、前記持ち運び可能な大気水発生器のすべてのユーザによる給水に対応することを特徴とする大気水発生器。
【請求項１６】
請求項１に記載の持ち運び可能な大気水発生器において、前記水生成要素が、脱湿サブシステムを具えることを特徴とする大気水発生器。
【請求項１７】
請求項１に記載の持ち運び可能な大気水発生器において、前記水生成要素が、乾燥サブシステム又は断熱サブシステムを具えることを特徴とする大気水発生器。
【請求項１８】
請求項１に記載の持ち運び可能な大気水発生器がさらに、稼働水量を決定するのに使用する流量測定要素を具えることを特徴とする大気水発生器。
【請求項１９】
請求項１８に記載の持ち運び可能な大気水発生器において、前記流量測定要素が、それぞれ、前記一またはそれ以上のタップ要素と一またはそれ以上の対応する持ち運び可能な水タンクとの間に流体連通して配置した、一またはそれ以上のフローセンサ又はフローメータを具えることを特徴とする大気水発生器。
【請求項２０】
請求項１に記載の持ち運び可能な大気水発生器において、前記コンピュータ要素が、別の場所に配置した一又はそれ以上の追加の発生器のコンピュータ要素とネットワーク通信するように配置されており、前記コンピュータ要素のそれぞれが、前記他の各発生器から持ち運び可能な水入手可能性データを受け取り、前記他の各発生器に対応する持ち運び可能な水入手可能性と位置情報を表示するように構成されていることを特徴とする大気水発生器。
【請求項２１】
請求項１に記載の持ち運び可能な大気水発生器において、前記一またはそれ以上の登録ユーザの登録によって、前記登録ユーザが、関連するユーザ名のついたユーザの水分プロファイルを作り、各ユーザの水分プロファイルが各ユーザの水分データを含んでおり、このデータは：
（ａ）独自の認証ＩＤを用いてユーザの水分プロファイルにログインすることによって、各登録ユーザによってアクセス可能である；
（ｂ）
（ｉ）給水量測定の一またはそれ以上の標準単位；
（ｉｉ）各登録したユーザのあらかじめ設定したゴールに向けての進捗度；
（ｉｉｉ）各ユーザの合計水量にトータルで量的に等しいあらかじめ決められた容量の複数の仮想プラスチック容器；
のうちの少なくとも一つの形式で送られてきた各ユーザの合計水量を追跡する；
ことを特徴とする大気水発生器。
【請求項２２】
請求項２１に記載の持ち運び可能な大気水発生器において、前記認証ＩＤが、各ユーザがパスコードを入力することによって、前記コンピュータ要素で読み取り可能であることを特徴とする大気水発生器。
【請求項２３】
請求項２１に記載の持ち運び可能な大気水発生器において、前記認証ＩＤが生体認証によって、前記コンピュータ要素で読み取り可能であることを特徴とする大気水発生器。
【請求項２４】
請求項２１に記載の持ち運び可能な大気水発生器において、前記認証ＩＤが、無線認証（ＲＦＩＤ）タグ又は近距離通信（ＮＦＣ）タグによって、前記コンピュータ要素で読み取り可能であることを特徴とする大気水発生器。
【請求項２５】
請求項２４に記載の持ち運び可能な大気水発生器において、前記ＲＦＩＤまたはＮＦＣタグが、各ユーザの飲料容器に埋め込まれているか、含まれていることを特徴とする大気水発生器。
【請求項２６】
大気のある環境で動作し大気から持ち運び可能な水を生成する持ち運び可能な大気水発生器において：
大気からの蒸気を液状水に変換するように構成された水生成要素と；
コンピュータ要素と；
を具え、
（ａ）前記持ち運び可能な大気水発生器が、一またはそれ以上の動的構成部品を具え；
（ｂ）前記一またはそれ以上の動的構成部品の各々が活性状態を有することで、人に可聴であるアコースティックサインとなり；
（ｃ）前記コンピュータ要素がノイズ制御スケジュールによってプログラム可能であり、当該ノイズ制御スケジュールが前記一またはそれ以上の動的構成部品が低い活性状態又は不活性状態に自動的に維持される時間を具えるように構成されている；
ことを特徴とする大気水発生器。
【請求項２７】
請求項２６に記載の大気水発生器において、前記一またはそれ以上の動的構成部品が、ファン要素、コンプレッサ要素、及びポンプ要素のうちの一またはそれ以上であることを特徴とする大気水発生器。
【請求項２８】
請求項２６に記載の大気水発生器において、前記ノイズ制御スケジュールが、タッチスクリーンインターフェースを用いてユーザによって調整可能であることを特徴とする大気水発生器。
【請求項２９】
請求項２６に記載の大気水発生器において、前記コンピュータ要素が、ネットワーク通信内に配置されており、当該ネットワーク中の別のノードから操作可能なカレンダープログラムと通信するように構成されており、前記ノイズ制御スケジュールがこのカレンダープログラムによって調整可能であることを特徴とする大気水発生器。
【請求項３０】
請求項２９に記載の大気水発生器において、
（ａ）前記ネットワークが、オフィス環境のＬＡＮであり；
（ｂ）前記カレンダープログラムにスケジュールされた会議が、前記持ち運び可能な大気水発生器が配置されている部屋で行われる場合、前記動的構成部品の一またはそれ以上が、前記スケジュールされた会議の期間中、低い活性状態に又は不活性状態に自動的に置かれることを特徴とする大気水発生器。
【請求項３１】
請求項２６に記載の大気水発生器において、前記コンピュータ要素が、自動化した家庭電化製品制御スケジューラとネットワーク通信を行うよう配置されており、前記ノイズ制御スケジュールが前記家庭電化製品スケジューラによって調整可能であることを特徴とする大気水発生器。
【請求項３２】
大気のある環境内で作動し、大気から持ち運び可能な水を生成する持ち運び可能な大気水発生器において：
（ａ）大気からの水蒸気を液状水に変換するように構成した水生成要素と；
（ｂ）エネルギィ制御要素でプログラム可能なコンピュータ要素であって、当該エネルギィ制御要素が、前記持ち運び可能な大気水発生器の一またはそれ以上の電気エネルギィ消費構成部品が、低電力状態または電力オフ状態に自動的に維持されている時間を含むように構成されている；
ことを特徴とする大気水発生器。
【請求項３３】
請求項３２に記載の大気水発生器において、前記コンピュータ要素が：
（ａ）電気公益事業会社とネットワーク通信を行い、高需要時間を表示する周期的あるいはリアルタイムでの電力グリッド需要データを受信し；
（ｂ）前記エネルギィ制御スケジュールを変更して、高需要時間に、一またはそれ以上の電気エネルギィ消費構成部品が活性状態になる時間を低減する；
ように構成されていることを特徴とする大気水発生器。
【請求項３４】
請求項３２に記載の大気水発生器において、前記エネルギィ制御スケジュールが、タッチスクリーンインターフェースを用いてユーザによって調整可能であることを特徴とする大気水発生器。
【請求項３５】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）前記回収リザーバを通って延在し、軸方向に取り外し可能であるリザーバＵＶランプと；
を具えることを特徴とする大気水発生器。
【請求項３６】
請求項３５に記載の持ち運び可能な大気水発生器において、前記リザーバＵＶランプが、前記リザーバの横方向のほぼ中央にあることを特徴とする大気水発生器。
【請求項３７】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）オゾン導管を通じて前記回収リザーバに送ることができるオゾンガスを発生するように構成したオゾン発生器と；
を具えることを特徴とする大気水発生器。
【請求項３８】
請求項３７に記載の持ち運び可能な大気水発生器がさらに、前記回収リザーバと流体連通する冷水タンクを具え、前記オゾンガスを、前記オゾン導管を介して前記冷水タンクの上側部分にさらに送ることができることを特徴とする大気水発生器。
【請求項３９】
請求項３８に記載の持ち運び可能な大気水発生器がさらに、前記回収リザーバと前記冷水タンクに送られたオゾンガスを均一にする圧力均一化バルブを具えることを特徴とする大気水発生器。
【請求項４０】
大気のある環境内で作動し、大気から持ち運び可能な水を生成する持ち運び可能な大気水発生器において：
（ａ）大気からの水蒸気を液状水に変換するように構成した水生成要素と；
（ｂ）前記水生成要素から液状水を受け取って、その量を一時的に保存するように構成された回収リザーバと；
（ｃ）オゾン導管を通じて前記回収リザーバに送ることができるオゾンガスを発生するように構成したオゾン発生器と；
を具え、
（ｉ）前記回収リザーバ内に水線制限レベルがあらかじめ規定されており；
（ｉｉ）前記回収リザーバが、前記オゾン発生器からオゾンガスを受け取り、前記水線制限レベルの上の位置で、前記回収リザーバ内にオゾンガスを放出するオゾン入り口を具える；
ことを特徴とする大気水発生器。
【請求項４１】
大気のある環境内で作動し、大気から持ち運び可能な水を生成する持ち運び可能な大気水発生器において：
大気からの水蒸気を液状水に変換するように構成した水生成要素と；
前記水生成要素から液状水を受け取って、その量を一時的に保存するように構成された回収リザーバと；
前記回収リザーバから水を受け取るように構成された冷水タンクと；
前記冷水タンクから水を受け取るように構成された少なくとも一の温水タンクであって、当該温水タンク内に収容された水を加熱するように構成された加熱要素に接続された温水タンクと；
コントロールパネルを介してユーザによってプログラム可能である中央処理ユニットであって、前記加熱要素と通信して、規定のプロトコルに従って加熱要素に電力を送達するように構成されており、当該プロトコルが、前記温水タンクと前記冷水タンク内に収容されている水の設定温度又は設定温度範囲を特定している、中央処理ユニットと；
を具えることを特徴とする大気水発生器。
【請求項４２】
請求項４１に記載の大気水発生器において、前記プロトコルがさらに、休止期間を特定しており、当該休止期間が前記温水タンク内に収納された水の設定温度又は設定温度範囲が、通常の作動時間に関連する温度に比較して低減されていることを特徴とする大気水発生器。
【請求項４３】
請求項４２に記載の大気水発生器において、前記プロトコルがさらに：
（ａ）前記温水タンク内に収納された水の設定温度又は設定温度範囲が、前記冷水タンク内に収納された水に優先しているかどうか；あるいは
（ｂ）前記冷水タンク内に収納された水の設定温度又は設定温度範囲が、前記温水タンク内に収納された水に優先しているかどうか；
を特定することを特徴とする大気水発生器。
【請求項４４】
請求項４３に記載の大気水発生器において、前記プロトコルがさらに、前記持ち運び可能な大気水発生器の総電力使用量上限を特定していることを特徴とする大気水発生器。
【請求項４５】
請求項４４に記載の大気水発生器において、前記総電力使用量上限が、規定の時間を超えて送達できる総最大エネルギィ量を具えることを特徴とする大気水発生器
【請求項４６】
システムであって、
（ａ）大気のある様々な環境で作動し、持ち運び可能な水を生成する複数の持ち運び可能な大気水発生器であって、各々が；
（ｉ）大気からの水蒸気を液状水に変換するように構成した水生成要素と；
（ｉｉ）一またはそれ以上の給水期間中に、前記持ち運び可能な大気水発生器からユーザが給水した一またはそれ以上の持ち運び可能な水の量を決定するのに用いる流量測定要素と；
（ｉｉｉ）ユーザプロファイルデータ、休止データおよびサービスデータを取得するように構成したコンピュータ要素であって、前記給水データが各登録ユーザによって給水された持ち運び可能な水の少なくとも一又はそれ以上の量に関連し、前記サービスデータが前記持ち運び可能な大気水発生器の一またはそれ以上の構成要素の動作に関連する、コンピュータ要素と；
を具える大気水発生器と；
（ｂ）前記コンピュータ要素とネットワーク通信して、前記ユーザプロファイルデータ、給水データ、及びサービスデータの一またはそれ以上を前記コンピュータ要素から受け取るように構成されたサーバ要素と；
を具えることを特徴とするシステム。
【請求項４７】
請求項４６に記載のシステムにおいて、前記サーバ要素が、各登録ユーザによって給水された持ち運び可能な水の量を、競争している登録ユーザ間の統計的又はゲームベースのコンペティションへの入力として追跡するデータベース要素を具えることを特徴とするシステム。
【請求項４８】
請求項４６に記載のシステムにおいて、前記サーバ要素が、各ユーザのモバイルコンピュータデバイスによってアクセス可能なアプリケーションプログラミングインターフェースを稼働することを特徴とするシステム。
【請求項４９】
請求項４８に記載のシステムにおいて、前記アプリケーションプログラミングインターフェースが、一またはそれ以上の登録ユーザのソーシャルネットワークアカウントで；
（ａ）各登録ユーザに関連する給水データと；
（ｂ）各登録ユーザによって給水された持ち運び可能な水の一またはそれ以上の量の各々に総合的量的に等しい、あらかじめ決められた容量の仮想プラスチック容器の数；
を入手可能にすることを特徴とするシステム。
【請求項５０】
請求項４６に記載のシステムにおいて：
（ａ）前記各コンピュータ要素が、ディスプレイスクリーンを具え、
（ｂ）前記サーバ要素が、さらに、前記コンピュータ要素に；
（ｉ）各給水期間中にすべての持ち運び可能な大気水発生器から各登録ユーザが給水した持ち運び可能な水の総量を含む、総ユーザデータ；
（ｉｉ）水の使用に関する教育的あるいは啓発メッセージ；
（ｉｉｉ）水の保護に関する教育あるいは啓発メッセージ；
（ｉｖ）ブランドに関するグラフィックス、メッセージ、あるいは販促；および
（ｖ）サービスの通知；
の少なくとも一またはそれ以上を前記各ディスプレイスクリーンに表示するように送信するように構成されている；
ことを特徴とするシステム。
【請求項５１】
請求項４６に記載のシステムにおいて前記サーバ要素が、さらに、前記コンピュータ要素にソフトウエアアプリケーションの更新を送信するように構成されていることを特徴とするシステム。
【請求項５２】
大気から持ち運び可能な水を生成する方法において；
（ａ）大気からの水蒸気を液状水に変換するように構成した水生成要素を提供するステップと；
（ｂ）前記水生成要素と水を受け取るように連通しており、開状態と閉状態の間をユーザが駆動できる少なくとも一のタップ要素であって、開状態にあるときに給水可能であり、閉状態にあるときに給水を止めるように構成されたタップ要素を設けるステップであって；
（ｉ）稼働期間が前記少なくとも一のタップ要素が連続的に開状態にある時間によってそれぞれ規定され；
（ｉｉ）稼働水量が、各稼働期間内の給水量によってそれぞれ規定される；
ステップと；
（ｃ）コンピュータ要素を選択するステップであって：
（ｉ）前記発生器の一またはそれ以上の登録ユーザを登録する；
（ｉｉ）各稼働した給水量を、各ユーザが給水した期間を通して記録する；
（ｉｉｉ）各登録ユーザに起因する各稼働した水量を加算して、各ユーザの合計水量を規定する；
（ｉｖ）一またはそれ以上の登録ユーザに各ユーザの合計水量を送る；
ように構成したコンピュータ要素を選択するステップと；
を具えることを特徴とする方法。
【請求項５３】
請求項５２に記載の方法がさらに、
（ａ）水量測定の一またはそれ以上の標準単位；
（ｂ）各登録ユーザのあらかじめ設定したゴールへの進捗度；
（ｃ）各ユーザの合計水量に全体的量的に等しいあらかじめ決められた容量の仮想プラスチック容器の数；
のうちの少なくとも一の形式で、送られてきたユーザ合計水量を表示するステップを具えることを特徴とする方法。
【請求項５４】
大気のある環境中で作動し、大気から持ち運び可能な水を生成する持ち運び可能な大気水発生器において：
（ａ）水蒸気を大気から液体水に変換するように構成した水生成要素と；
（ｂ）前記水生成要素と水を受け取るように連通しており、開状態と閉状態の間でユーザが稼働させることができ、当該タップ要素が開状態にあるときにタップ要素から給水でき、閉状態にあるときにタップ要素からの給水を停止する少なくとも一のタップ要素であって；
（ｉ）稼働期間が前記少なくとも一のタップ要素が連続的に開状態にある時間によって規定され；
（ｉｉ）水の稼働量が各稼働期間に給水した水量で規定される；
タップ要素と；
（ｃ）コンピュータ要素であって；
（ｉ）前記発生器の複数の登録ユーザを登録し；
（ｉｉ）前記登録ユーザによる稼働給水量を記録し；
（ｉｉｉ）各ユーザの給水期間を通じて記録した稼働給水量を合算し、各ユーザの総給水量を規定し；
（ｉｖ）前記各ユーザの総給水量と登録ユーザに知らせる；
ように構成したコンピュータ要素と；
を具えることを特徴とする持ち運び可能な大気水発生器。
【請求項５５】
請求項５４に記載の持ち運び可能な大気水発生器において、前記ユーザの総給水量を：
（ａ）容量測定の一またはそれ以上の標準単位；
（ｂ）各登録ユーザのあらかじめ決めたゴールへの進捗度；
（ｃ）各登録ユーザグループのあらかじめ設定したゴールへの進捗度；
（ｄ）各ユーザの総水量にトータルで容量的に等しいあらかじめ決められた容量の仮想プラスチック容器の数；
の少なくとも一つの形式で知らせることを特徴とする持ち運び可能な大気水発生器。
【請求項５６】
請求項５４に記載の持ち運び可能な大気水発生器において、前記コンピュータ要素が、ディスプレイスクリーンを具え、前記ユーザの総水量の知らせが、少なくとも前記ディスプレイスクリーンに各総水量を表示することによって行われることを特徴とする持ち運び可能な大気水発生器。
【請求項５７】
請求項５６に記載の持ち運び可能な大気水発生器において、前記ディスプレイスクリーンがタッチスクリーンインターフェースであることを特徴とする持ち運び可能な大気水発生器。
【請求項５８】
請求項５４に記載の持ち運び可能な大気水発生器がさらに、大気温度、大気圧、及び大気湿度のうちの一またはそれ以上を測定するように構成された一またはそれ以上のセンサ素子を具え；
前記コンピュータ要素が当該一またはそれ以上のセンサ素子とデータ通信状態にあるとともに：
（ａ）当該データから前記発生器が大気から液体水を生成できる流速を計算し；
（ｂ）その速度を前記ディスプレイスクリーンに表示する；
ように構成されている；
ことを特徴とする持ち運び可能な大気水発生器。
【請求項５９】
請求項５４に記載の持ち運び可能な大気水発生器がさらに、ローカルエリアネットワークと、広域ネットワークと、セルラーネットワークと、ピアツーピアメッシュと、衛星の内の少なくとも一つを用いて前記コンピュータ要素に通信できるように構成されたネットワークインターフェースを具えることを特徴とする持ち運び可能な大気水発生器。
【請求項６０】
請求項５９に記載の持ち運び可能な大気水発生器において、前記通信がワイヤレス通信であるか、ワイヤレス通信を具えることを特徴とする持ち運び可能な大気水発生器。
【請求項６１】
請求項５９に記載の持ち運び可能な大気水発生器において、前記コンピュータ要素がディスプレイスクリーンを具え、当該ディスプレイスクリーン上で、ネットワークインターフェースを用いて：
（ｉ）水の使用に関する教育的又は啓蒙的メッセージ；
（ｉｉ）水の保護に関する教育的又は啓蒙的メッセージ；
（ｉｉｉ）ブランドに関するグラフィックス、メッセージ、又は販促；
（ｉｖ）サービスの通知；
のうちの少なくとも一またはそれ以上を受信するように構成された、持ち運び可能な大気水発生器。
【請求項６２】
請求項５９に記載の持ち運び可能な大気水発生器において、前記通知したユーザ総水量に、各登録ユーザのソーシャルメディアアカウントによってアクセスできることを特徴とする持ち運び可能な大気水発生器。
【請求項６３】
請求項５９に記載の持ち運び可能な大気水発生器において、前記通知したユーザ総水量がデータ入力として；
（ａ）一またはそれ以上の登録ユーザによってプレイできるコンピュータベースのゲームであり、各総水量が：
（ｉ）当該ゲーム内の事象のトリガ；
（ｉｉ）当該ゲーム内のパラメータの表示；
の少なくとも一つである、ゲームと；
（ｂ）登録ユーザ間のコンピュータベースのコンペティションであり、各コンペティターの総水量が相互のパフォーマンス比較に基づいて使用されているコンピュータベースのコンペティション；
の内の少なくとも一つに通知できることを特徴とする持ち運び可能な大気水発生器。
【請求項６４】
請求項５９に記載の持ち運び可能な大気水発生器において、前記通知したユーザ総水量が、各登録ユーザのモバイルコンピュータデバイスによってアクセス可能であることを特徴とする大気水発生器。
【請求項６５】
請求項６４に記載の持ち運び可能な大気水発生器において、前記アクセス可能性が中間サーバ要素によるものであることを特徴とする持ち運び可能な大気水発生器。
【請求項６６】
請求項５４に記載の持ち運び可能な大気水発生器において、前記ユーザの給水期間が、各登録ユーザによる直近の給水時点を経過した現在のカレンダー日付の一部であることを特徴とする持ち運び可能な大気水発生器。
【請求項６７】
請求項５４に記載の持ち運び可能な大気水発生器において、前記コンピュータ要素が再初期化されるように構成した機械式カウンタを具え、前記ユーザの給水期間の少なくとも一つが、直近の再初期化から経過した時間に等しいことを特徴とする持ち運び可能な大気水発生器。
【請求項６８】
請求項５４に記載の持ち運び可能な大気水発生器において、前記ユーザの総水量の少なくとも一つが、前記持ち運び可能な大気水発生器の全ユーザによる給水に対応することを特徴とする持ち運び可能な大気水発生器。
【請求項６９】
請求項５４に記載の持ち運び可能な大気水発生器において、前記水生成要素が、脱湿サブシステムを具えることを特徴とする持ち運び可能な大気水発生器。
【請求項７０】
請求項５４に記載の持ち運び可能な大気水発生器において、前記水生成要素が、乾燥サブシステム又は断熱サブシステムを具えることを特徴とする持ち運び可能な大気水発生器。
【請求項７１】
請求項５４に記載の持ち運び可能な大気水発生器がさらに、前記稼働した水量の測定に使用する流量測定要素を具えることを特徴とする持ち運び可能な大気水発生器。
【請求項７２】
請求項７１に記載の持ち運び可能な大気水発生器において、前記流量測定要素が、前記一またはそれ以上のタップ要素と一またはそれ以上の対応する持ち運び可能な水タンクとの間に、流体連通して配置した、一またはそれ以上のフローセンサ又はフローメータを具えることを特徴とする持ち運び可能な大気水発生器。
【請求項７３】
請求項５４に記載の持ち運び可能な大気水発生器において、前記コンピュータ要素が、別の位置に配置された一またはそれ以上の大気水発生器のコンピュータ要素とネットワーク通信する位置に配置するよう構成されており、前記各コンピュータ要素がその他の発生器の各々から持ち運び可能な水の入手可能性データを受信し、その他の発生器の各々に対応する持ち運び可能な水の入手可能性と位置情報を表示するように構成されていることを特徴とする持ち運び可能な大気水発生器。
【請求項７４】
請求項５４に記載の持ち運び可能な大気水発生器において、一またはそれ以上の登録ユーザの登録によって、前記登録ユーザが関連するユーザ名とともに、各々のユーザ水プロファイルを作成でき、各ユーザの水プロファイルが：
（ａ）独自の認証ＩＤを用いて各登録ユーザの水プロファイルにログインすることによって、各登録ユーザがアクセス可能であり；
（ｂ）各ユーザの総水量であって、
（ｉ）容量測定の一またはそれ以上の標準単位；
（ｉｉ）各登録ユーザのあらかじめ設定したゴールへの進捗度；
（ｉｉｉ）各ユーザの総水量と集合的かつ容量的に等しいあらかじめ決められた容量の仮想プラスチック容器の数；
の少なくとも一つの形で通知される総水量を追跡する；
ユーザの水データを含む、ことを特徴とする持ち運び可能な大気水発生器。
【請求項７５】
請求項７４に記載の持ち運び可能な大気水発生器において、前記認証ＩＤが、前記コンピュータ要素によって、前記ユーザのパスコードの入力で読み取り可能であることを特徴とする持ち運び可能な大気水発生器。
【請求項７６】
請求項７４に記載の持ち運び可能な大気水発生器において、前記認証ＩＤが、前記コンピュータ要素によって、生体認証検出で読み取り可能であることを特徴とする持ち運び可能な大気水発生器。
【請求項７７】
請求項７４に記載の持ち運び可能な大気水発生器において、前記認証ＩＤが、前記コンピュータ要素によって、無線認証（ＲＦＩＤ）タグ又は近距離無線通信（ＮＦＣ）タグで、読み取り可能であることを特徴とする持ち運び可能な大気水発生器。
【請求項７８】
請求項７７に記載の持ち運び可能な大気水発生器において、前記ＲＦＩＤ又はＮＦＣタグが、各ユーザの飲用容器に埋め込まれている又は含まれていることを特徴とする持ち運び可能な大気水発生器。
【国際調査報告】
2016537277.tif 000044
2016537277.tif 000045
2016537277.tif 000046